(57)【要約】  本発明の実施例は、情報伝送方法及びデバイスを提供し、当該方法は、第１デバイスが第２デバイスにランダムアクセスメッセージを送信することを含み、当該ランダムアクセスメッセージには当該第１デバイスの第１専用情報及び／又は当該第１デバイスの第２専用情報を指示するための指示情報が含まれ、当該第１専用情報と当該第２専用情報とは、当該第１デバイスと当該第２デバイスとの間の接続を確立するために用いられる。本発明の実施例における方法及びデバイスは、第１デバイスのアクセス制御機能をさらに向上させ、第１デバイスがより高速又は柔軟に第２デバイスにアクセスすることができる。
2019527949.tif 000002
【特許請求の範囲】
【請求項１】
情報伝送方法であって、
第１デバイスが第２デバイスにランダムアクセスメッセージを送信することを含み、
前記ランダムアクセスメッセージには前記第１デバイスの第１専用情報及び／又は前記第１デバイスの第２専用情報を指示するための指示情報が含まれ、
前記第１専用情報と前記第２専用情報とは、前記第１デバイスと前記第２デバイスとの間の接続を確立するために用いられる
ことを特徴とする情報伝送方法。
【請求項２】
前記ランダムアクセスメッセージに前記指示情報が含まれ、
前記指示情報は、前記第２デバイスが予め設定された第１リソースにおいて前記第２専用情報を取得するように指示するために用いられ、
前記情報伝送方法は、さらに、
前記第１デバイスが前記第１リソースにおいて前記第２専用情報を送信することを含む
ことを特徴とする請求項１に記載の情報伝送方法。
【請求項３】
前記ランダムアクセスメッセージに前記指示情報が含まれ、
前記指示情報は、前記第１デバイスが前記第２デバイスに前記第２専用情報を送信するように指示するために用いられ、
前記情報伝送方法は、さらに、
前記第１デバイスが予め設定された第２リソースにおいて前記第２専用情報を送信することを含む
ことを特徴とする請求項１に記載の情報伝送方法。
【請求項４】
前記ランダムアクセスメッセージに前記第１専用情報及び前記指示情報が含まれ、前記第１専用情報と前記第２専用情報とは、相違する情報を含む
ことを特徴とする請求項１〜３のいずれか１項に記載の情報伝送方法。
【請求項５】
前記第１専用情報又は前記第２専用情報は、前記第１デバイスの識別子情報、前記第１デバイスが接続確立を要求する理由、前記第１デバイスが送信する第１シグナリングの大きさ及び／又はフォーマット、前記第１デバイスが登録する公衆移動通信網ＰＬＭＮの情報、前記第１デバイスのモビリティ管理エンティティＭＭＥの情報及び前記第１デバイスの非アクセス層ＮＡＳの情報のうちの少なくとも１つを含む
ことを特徴とする請求項１乃至４のいずれか１項に記載の情報伝送方法。
【請求項６】
前記第１専用情報又は前記第２専用情報は、第１シグナリングの大きさ及び／又はフォーマットを含み、
前記第１シグナリングは、前記第１デバイスと前記第２デバイスとの間の接続確立を要求するために用いられ、
前記情報伝送方法は、さらに、
前記第２デバイスにより送信されたアップリンクリソース割り当て情報を受信することと、
前記アップリンクリソース割り当て情報に基づいて前記第２デバイスに前記第１シグナリングを送信することとを含み、
前記アップリンクリソース割り当て情報は、前記第１シグナリングの大きさ及び／又はフォーマットに基づいて確定されたものである
ことを特徴とする請求項１乃至５のいずれか１項に記載の情報伝送方法。
【請求項７】
前記第１デバイスが端末デバイスであり、前記第２デバイスがネットワークデバイス又は端末デバイスである
ことを特徴とする請求項１乃至６のいずれか１項に記載の情報伝送方法。
【請求項８】
情報伝送方法であって、
第２デバイスが第１デバイスにより送信されたランダムアクセスメッセージを受信することを含み、
前記ランダムアクセスメッセージには前記第１デバイスの第１専用情報及び／又は前記第１デバイスの第２専用情報を指示するための指示情報が含まれ、
前記第１専用情報と前記第２専用情報とは、前記第１デバイスと前記第２デバイスとの間の接続を確立するために用いられる
ことを特徴とする情報伝送方法。
【請求項９】
前記ランダムアクセスメッセージに前記指示情報が含まれ、
前記指示情報は、前記第２デバイスが予め設定された第１リソースにおいて前記第２専用情報を取得するように指示するために用いられ、
前記情報伝送方法は、さらに、
前記第２デバイスが前記指示情報に基づいて前記第１リソースにおいて前記第２専用情報を取得することを含む
ことを特徴とする請求項８に記載の情報伝送方法。
【請求項１０】
前記ランダムアクセスメッセージに前記指示情報が含まれ、
前記指示情報は、前記第１デバイスが前記第２デバイスに前記第２専用情報を送信するように指示するために用いられ、
前記情報伝送方法は、さらに、
前記第２デバイスが予め設定された第２リソースにおいて前記第２専用情報を取得することを含む
ことを特徴とする請求項８に記載の情報伝送方法。
【請求項１１】
前記ランダムアクセスメッセージに前記第１専用情報が含まれ、
前記情報伝送方法は、さらに、
前記第２デバイスが前記ランダムアクセスメッセージから前記第１専用情報を取得することを含む
ことを特徴とする請求項８乃至１０のいずれか１項に記載の情報伝送方法。
【請求項１２】
前記ランダムアクセスメッセージに前記第１専用情報及び前記指示情報が含まれ、
前記第１専用情報と前記第２専用情報とは、相違する情報を含む
ことを特徴とする請求項８乃至１１のいずれか１項に記載の情報伝送方法。
【請求項１３】
前記第１専用情報又は前記第２専用情報は、前記第１デバイスの識別子情報、前記第１デバイスが接続確立を要求する理由、前記第１デバイスが送信する第１シグナリングの大きさ及び／又はフォーマット、前記第１デバイスが登録する公衆移動通信網ＰＬＭＮの情報、前記第１デバイスのモビリティ管理エンティティＭＭＥの情報及び前記第１デバイスの非アクセス層ＮＡＳの情報のうちの少なくとも１つを含む
ことを特徴とする請求項８乃至１２のいずれか１項に記載の情報伝送方法。
【請求項１４】
前記第１専用情報又は前記第２専用情報は、第１シグナリングの大きさ及び／又はフォーマットを含み、
前記第１シグナリングは、前記第１デバイスと前記第２デバイスとの間の接続確立を要求するために用いられ、
前記情報伝送方法は、さらに、
前記第１シグナリングの大きさ及び／又はフォーマットに基づいて前記第１デバイスのアップリンクリソース割り当て情報を確定することと、
前記第１デバイスに前記アップリンクリソース割り当て情報を送信することと、
前記第１デバイスが前記アップリンクリソース割り当て情報に基づいて送信した前記第１シグナリングを受信することとを含む
ことを特徴とする請求項８乃至１３のいずれか１項に記載の情報伝送方法。
【請求項１５】
前記第１デバイスが端末デバイスであり、前記第２デバイスがネットワークデバイス又は端末デバイスである
ことを特徴とする請求項８乃至１４のいずれか１項に記載の情報伝送方法。
【請求項１６】
情報伝送デバイスであって、
前記情報伝送デバイスは、第１デバイスであり、送信ユニットを含み、
前記送信ユニットは、第２デバイスにランダムアクセスメッセージを送信するように構成され、
前記ランダムアクセスメッセージには前記第１デバイスの第１専用情報及び／又は前記第１デバイスの第２専用情報を指示するための指示情報が含まれ、
前記第１専用情報と前記第２専用情報とは、前記第１デバイスと前記第２デバイスとの間の接続を確立するために用いられる
ことを特徴とする情報伝送デバイス。
【請求項１７】
前記ランダムアクセスメッセージに前記指示情報が含まれ、
前記指示情報は、前記第２デバイスが予め設定された第１リソースにおいて前記第２専用情報を取得するように指示するために用いられ、
前記送信ユニットは、さらに、
前記第１リソースにおいて前記第２専用情報を送信するように構成される
ことを特徴とする請求項１６に記載の情報伝送デバイス。
【請求項１８】
前記ランダムアクセスメッセージに前記指示情報が含まれ、
前記指示情報は、前記第１デバイスが前記第２デバイスに前記第２専用情報を送信するように指示するために用いられ、
前記送信ユニットは、さらに、
予め設定された第２リソースにおいて前記第２専用情報を送信するように構成される
ことを特徴とする請求項１６に記載の情報伝送デバイス。
【請求項１９】
前記ランダムアクセスメッセージに前記第１専用情報及び前記指示情報が含まれ、前記第１専用情報と前記第２専用情報とは、相違する情報を含む
ことを特徴とする請求項１６乃至１８のいずれか１項に記載の情報伝送デバイス。
【請求項２０】
前記第１専用情報又は前記第２専用情報は、前記第１デバイスの識別子情報、前記第１デバイスが接続確立を要求する理由、前記第１デバイスが送信する第１シグナリングの大きさ及び／又はフォーマット、前記第１デバイスが登録する公衆移動通信網ＰＬＭＮの情報、前記第１デバイスのモビリティ管理エンティティＭＭＥの情報及び前記第１デバイスの非アクセス層ＮＡＳの情報のうちの少なくとも１つを含む
ことを特徴とする請求項１６乃至１９のいずれか１項に記載の情報伝送デバイス。
【請求項２１】
前記第１専用情報又は前記第２専用情報は、第１シグナリングの大きさ及び／又はフォーマットを含み、
前記第１シグナリングは、前記第１デバイスと前記第２デバイスとの間の接続確立を要求するために用いられ、
前記情報伝送デバイスは、さらに、受信ユニットを含み
前記受信ユニットは、前記第２デバイスにより送信されたアップリンクリソース割り当て情報を受信するように構成され、
前記アップリンクリソース割り当て情報は、前記第１シグナリングの大きさ及び／又はフォーマットに基づいて確定されたものであり、
前記送信ユニットは、さらに、
前記アップリンクリソース割り当て情報に基づいて前記第２デバイスに前記第１シグナリングを送信するように構成される
ことを特徴とする請求項１６乃至２０のいずれか１項に記載の情報伝送デバイス。
【請求項２２】
前記第１デバイスが端末デバイスであり、前記第２デバイスがネットワークデバイス又は端末デバイスである。
ことを特徴とする請求項１６乃至２１のいずれか１項に記載の情報伝送デバイス。
【請求項２３】
情報伝送デバイスであって、
前記情報伝送デバイスは、第２デバイスであり、受信ユニットを含み、
前記受信ユニットは、第１デバイスにより送信されたランダムアクセスメッセージを受信するように構成され、
前記ランダムアクセスメッセージには前記第１デバイスの第１専用情報及び／又は前記第１デバイスの第２専用情報を指示するための指示情報が含まれ、
前記第１専用情報と前記第２専用情報とは、前記第１デバイスと前記第２デバイスとの間の接続を確立するために用いられる
ことを特徴とする情報伝送デバイス。
【請求項２４】
前記ランダムアクセスメッセージに前記指示情報が含まれ、
前記指示情報は、前記第２デバイスが予め設定された第１リソースにおいて前記第２専用情報を取得するように指示するために用いられ、
前記情報伝送デバイスは、さらに、第１取得ユニットを含み、
前記第１取得ユニットは、前記指示情報に基づいて前記第１リソースにおいて前記第２専用情報を取得するように構成される
ことを特徴とする請求項２３に記載の情報伝送デバイス。
【請求項２５】
前記ランダムアクセスメッセージに前記指示情報が含まれ、
前記指示情報は、前記第１デバイスが前記第２デバイスに前記第２専用情報を送信するように指示するために用いられ、
前記情報伝送デバイスは、さらに、第２取得ユニットを含み、
前記第２取得ユニットは、予め設定された第２リソースにおいて前記第２専用情報を取得するように構成される
ことを特徴とする請求項２３に記載の情報伝送デバイス。
【請求項２６】
前記ランダムアクセスメッセージに前記第１専用情報が含まれ、前記情報伝送デバイスは、さらに、第３取得ユニットを含み
前記第３取得ユニットは、前記ランダムアクセスメッセージから前記第１専用情報を取得するように構成される
ことを特徴とする請求項２３乃至２５のいずれか１項に記載の情報伝送デバイス。
【請求項２７】
前記ランダムアクセスメッセージに前記第１専用情報及び前記指示情報が含まれ、前記第１専用情報と前記第２専用情報とは、相違する情報を含む
ことを特徴とする請求項２３乃至２６のいずれか１項に記載の情報伝送デバイス。
【請求項２８】
前記第１専用情報又は前記第２専用情報は、前記第１デバイスの識別子情報、前記第１デバイスが接続確立を要求する理由、前記第１デバイスが送信する第１シグナリングの大きさ及び／又はフォーマット、前記第１デバイスが登録する公衆移動通信網ＰＬＭＮの情報、前記第１デバイスのモビリティ管理エンティティＭＭＥの情報及び前記第１デバイスの非アクセス層ＮＡＳの情報のうちの少なくとも１つを含む
ことを特徴とする請求項２３乃至２７のいずれか１項に記載の情報伝送デバイス。
【請求項２９】
前記第１専用情報又は前記第２専用情報は、第１シグナリングの大きさ及び／又はフォーマットを含み、
前記第１シグナリングは、前記第１デバイスと前記第２デバイスとの間の接続確立を要求するために用いられ、
前記情報伝送デバイスは、さらに、確定ユニット及び送信ユニットを含み、
前記確定ユニットは、前記第１シグナリングの大きさ及び／又はフォーマットに基づいて前記第１デバイスのアップリンクリソース割り当て情報を確定するように構成され、
前記送信ユニットは、前記第１デバイスに前記アップリンクリソース割り当て情報を送信するように構成され、
前記受信ユニットは、さらに、
前記第１デバイスが前記アップリンクリソース割り当て情報に基づいて送信した前記第１シグナリングを受信するように構成される
ことを特徴とする請求項２３乃至２８のいずれか１項に記載の情報伝送デバイス。
【請求項３０】
前記第１デバイスが端末デバイスであり、前記第２デバイスがネットワークデバイス又は端末デバイスである
ことを特徴とする請求項２３乃至２９のいずれか１項に記載の情報伝送デバイス。
【発明の詳細な説明】
【技術分野】
【０００１】
本発明は通信分野に関し、特に、情報伝送方法及びデバイスに関する。
【背景技術】
【０００２】
長期的な進化(ＬＴＥ：Ｌｏｎｇ  Ｔｅｒｍ  Ｅｖｏｌｕｔｉｏｎ)において、ユーザデバイス(ＵＥ：Ｕｓｅｒ  Ｅｑｕｉｐｍｅｎｔ)は、一定の時間にサービスを行わない場合、エアインターフェースのリソースやＵＥの消費電力を節約するために、アイドル状態に遷移する。ＵＥは、アイドル状態に遷移した後、サービス(発信サービスと着信サービスを含む)を再開する場合、ランダムアクセスメッセージをネットワークへ送信する必要があり、これによって、ＵＥはネットワークとの通信接続を確立することができる。ＵＥは、ネットワークにより送信されたランダムアクセスレスポンスを受信した後、ＵＥとネットワークとの間の接続を確立するための関連情報をネットワークへ送信する。
【０００３】
しかしながら、無線通信システムの進化に伴い、ランダムアクセスプロセスを開始するデバイスの間に、送信側のデバイスがより高速又は柔軟に受信側デバイスにアクセスするように、デバイスのアクセス制御機能をより向上させる必要がある。
【発明の概要】
【０００４】
これに鑑みて、本発明の実施例は、送信側のデバイスがより高速又は柔軟に受信側デバイスにアクセスするように、デバイスのアクセス制御機能を向上させることができる情報伝送方法及びデバイスを提供する。
【０００５】
第１形態は、情報伝送方法を提供し、当該方法は、第１デバイスが第２デバイスにランダムアクセスメッセージを送信することを含み、当該ランダムアクセスメッセージには当該第１デバイスの第１専用情報及び／又は当該第１デバイスの第２専用情報を指示するための指示情報が含まれ、当該第１専用情報と当該第２専用情報とは、当該第１デバイスと当該第２デバイスとの間の接続を確立するために用いられる。
【０００６】
選択可能で、当該第１デバイスが端末デバイスであり、当該第２デバイスが端末デバイス又はネットワークデバイスである。
【０００７】
選択可能で、当該ランダムアクセスメッセージは、第１デバイスがアイドル状態から接続状態に切り替わる１番目のメッセージであっても良いし、当該第１デバイスに処理しようとするサービスがあることを指示するためのものであっても良く、つまり、当該ランダムアクセスメッセージは、ランダムアクセスプリアンブル情報が含まれるメッセージであっても良い。
【０００８】
選択可能で、当該第１デバイスの第１専用情報又は第２専用情報は、第１デバイスが第２デバイスとの接続を確立する関連情報であっても良いし、第１デバイスが第２デバイスとの接続を確立する関連構成情報であっても良い。当該第１専用情報や当該第２専用情報に含まれる情報は、同じであっても良いし、一部が同じであっても良いし、全く相違してもよく、本発明はこれを限定しない。
【０００９】
選択可能で、当該ランダムアクセスメッセージに含まれるものは、第１デバイス又は第２デバイスにより構成されたものであっても良いし、第１デバイスと第２デバイスとが予め交渉して確定されたのもであっても良い。
【００１０】
ランダムアクセスメッセージに第１デバイスの第１専用情報及び／又は第１デバイスの第２専用情報を指示するための指示情報を付けることで、アクセスプロセスを最適化し、第１デバイスがより高速又は柔軟に第２デバイスにアクセスするように、第１デバイスのアクセス制御機能を向上させることができる。
【００１１】
第１形態を結合し、第１形態の第１実現可能な形態において、当該ランダムアクセスメッセージに当該指示情報が含まれ、当該指示情報は、当該第２デバイスが予め設定された第１リソースにおいて当該第２専用情報を取得するように指示するために用いられ、当該情報伝送方法は、さらに、当該第１デバイスが当該第１リソースにおいて当該第２専用情報を送信することを含む。
【００１２】
選択可能で、第１デバイスと第２デバイスとは、当該第１デバイスの第２専用情報を伝送するための複数のリソースを予め交渉してもよいし、第１デバイス又は第２デバイスは、当該第１デバイスの第２専用情報を伝送するための複数のリソースを予め構成してもよい。第１デバイスは、その中の１つのリソースを指示して当該第１専用情報及び／又は当該第２専用情報を伝送することができる。
【００１３】
第１形態又は上記の第１形態のいかなる実現形態を結合し、第１形態の第２実現可能な形態において、当該ランダムアクセスメッセージに当該指示情報が含まれ、当該指示情報は、当該第１デバイスが当該第２デバイスに当該第２専用情報を送信するように指示するために用いられ、当該情報伝送方法は、さらに、当該第１デバイスが予め設定された第２リソースにおいて当該第２専用情報を送信することを含む。
【００１４】
選択可能で、第１デバイスと第２デバイスとは、当該第１デバイスの第２専用情報を伝送するための複数のリソースを予め交渉してもよいし、第１デバイス又は第２デバイスは、当該第１デバイスの第２専用情報を伝送するための複数のリソースを予め構成してもよい。第１デバイスが第２デバイスに第２専用情報の送信のみを指示し、第２デバイスが、受信した指示情報に基づいて、予め設定された１つのリソースにおいて当該第２専用情報を取得してもよい。
【００１５】
選択可能で、当該指示情報は、当該第２専用情報の送信位置又は送信リソースを示してもよいし、当該第１デバイスの衝突回避パラメータ等を示してもよい。
【００１６】
予め設定されたリソースにおいて第２専用情報を送信し及び／又はランダムアクセスメッセージに第１専用情報を付けることで、第１デバイスは、第２デバイスからのアップリンクリソース割り当てを待つ必要がなく、第１デバイスのアクセス遅延を低減させることができる。
【００１７】
第１形態又は上記の第１形態のいかなる実現形態を結合し、第１形態の第３実現可能な形態において、当該ランダムアクセスメッセージに当該第１専用情報及び当該指示情報が含まれ、当該第１専用情報と当該第２専用情報とは、相違する情報を含む。
【００１８】
第１形態又は上記の第１形態のいかなる実現形態を結合し、第１形態の第４実現可能な形態において、当該第１専用情報又は当該第２専用情報は、当該第１デバイスの識別子情報、当該第１デバイスが接続確立を要求する理由、当該第１デバイスが送信する第１シグナリングの大きさ及び／又はフォーマット、当該第１デバイスが登録する公衆移動通信網ＰＬＭＮの情報、当該第１デバイスのモビリティ管理エンティティＭＭＥの情報及び当該第１デバイスの非アクセス層ＮＡＳの情報のうちの少なくとも１つを含む。
【００１９】
当該第１専用情報又は当該第２専用情報は、第１デバイスが第２デバイスに送信する接続確立要求メッセージに含まれるメイン情報、例えば第１デバイスの識別子及び接続確立の理由等を含んでもよく、この場合、接続確立プロセスをある程度短縮させ、第１デバイスのアクセス遅延を低減させることができる。
【００２０】
当該第１専用情報又は当該第２専用情報は、第１デバイスが第２デバイスに送信する接続確立完了メッセージに含まれるメイン情報、例えば第１デバイスが登録する公衆移動通信網ＰＬＭＮの情報、第１デバイスのＭＭＥの情報及び第１デバイスのＮＡＳの情報などを含んでもよく、この場合、接続確立プロセスをある程度短縮させ、第１デバイスのアクセス遅延を低減させることができる。
【００２１】
当該第１専用情報又は当該第２専用情報は、第１シグナリングの大きさ及び／又はフォーマットを含んでもよく、この場合、第１デバイスがより柔軟に第２デバイスにアクセスすることができる。
【００２２】
選択可能で、当該ランダムアクセスメッセージにランダムアクセスプリアンブル情報がさらに含まれ、第１デバイスは、当該ランダムアクセスプリアンブル情報に連続する固定数の周波数領域リソース及び／又は時間領域リソースにおいて当該第１専用情報又は当該第２専用情報を送信する。
【００２３】
第１形態又は上記の第１形態のいかなる実現形態を結合し、第１形態の第５実現可能な形態において、当該第１専用情報又は当該第２専用情報は、第１シグナリングの大きさ及び／又はフォーマットを含み、当該第１シグナリングは、当該第１デバイスと当該第２デバイスとの間の接続確立を要求するために用いられ、当該情報伝送方法は、さらに、当該第２デバイスにより送信されたアップリンクリソース割り当て情報を受信することと、当該アップリンクリソース割り当て情報に基づいて当該第２デバイスに当該第１シグナリングを送信することとを含む。
【００２４】
第２形態は、情報伝送方法を提供し、当該ランダムアクセスメッセージには当該第１デバイスの第１専用情報及び／又は当該第１デバイスの第２専用情報を指示するための指示情報が含まれ、当該第１専用情報と当該第２専用情報とは、当該第１デバイスと当該第２デバイスとの間の接続を確立するために用いられる。
【００２５】
選択可能で、当該第１デバイスが端末デバイスであり、当該第２デバイスが端末デバイス又はネットワークデバイスである。
【００２６】
第１デバイスの第１専用情報及び／又は第１デバイスの第２専用情報を指示するための指示情報が含まれるランダムアクセスメッセージを受信することで、アクセスプロセスを最適化し、第１デバイスがより高速又は柔軟に第２デバイスにアクセスするように、第１デバイスのアクセス制御機能を向上させることができる。
【００２７】
第２形態を結合し、第２形態の第１実現可能な形態において、当該ランダムアクセスメッセージに当該指示情報が含まれ、当該指示情報は、当該第２デバイスが予め設定された第１リソースにおいて当該第２専用情報を取得するように指示するために用いられ、当該情報伝送方法は、さらに、当該第２デバイスが当該指示情報によって当該第１リソースにおいて当該第２専用情報を取得することを含む。
【００２８】
第２形態又は上記の第２形態のいかなる実現形態を結合し、第２形態の第２実現可能な形態において、当該ランダムアクセスメッセージに当該指示情報が含まれ、当該指示情報は、当該第１デバイスが当該第２デバイスに当該第２専用情報を送信するように指示するために用いられ、当該情報伝送方法は、さらに、当該第２デバイスが予め設定された第２リソースにおいて当該第２専用情報を取得することを含む。
【００２９】
第２形態又は上記の第２形態のいかなる実現形態を結合し、第２形態の第３実現可能な形態において、当該ランダムアクセスメッセージに当該第１専用情報が含まれ、当該情報伝送方法は、さらに、当該第２デバイスが当該ランダムアクセスメッセージから当該第１専用情報を取得することを含む。
【００３０】
第２形態又は上記の第２形態のいかなる実現形態を結合し、第２形態の第４実現可能な形態において、当該ランダムアクセスメッセージに当該第１専用情報及び当該指示情報が含まれ、当該第１専用情報と当該第２専用情報とは、相違する情報を含む。
【００３１】
予め設定されたリソースにおいて第２専用情報を送信し及び／又はランダムアクセスメッセージに第１専用情報を付けることで、第１デバイスは、第２デバイスからのアップリンクリソース割り当てを待つ必要がなく、第１デバイスのアクセス遅延を低減させることができる。
【００３２】
第２形態又は上記の第２形態のいかなる実現形態を結合し、第２形態の第５実現可能な形態において、当該第１専用情報又は当該第２専用情報は、当該第１デバイスの識別子情報、当該第１デバイスが接続確立を要求する理由、当該第１デバイスが送信する第１シグナリングの大きさ及び／又はフォーマット、当該第１デバイスが登録する公衆移動通信網ＰＬＭＮの情報、当該第１デバイスのモビリティ管理エンティティＭＭＥの情報及び当該第１デバイスの非アクセス層ＮＡＳの情報のうちの少なくとも１つを含む。
【００３３】
当該第１専用情報又は当該第２専用情報は、第１デバイスが第２デバイスに送信した接続確立要求メッセージに含まれるメイン情報、例えば第１デバイスの識別子及び接続確立理由等を含んでもよく、この場合、接続確立プロセスをある程度短縮させ、第１デバイスのアクセス遅延を低減させることができる。
【００３４】
当該第１専用情報又は当該第２専用情報は、第１デバイスが第２デバイスに送信した接続確立完了メッセージに含まれるメイン情報、例えば第１デバイスが登録する公衆移動通信網ＰＬＭＮの情報、第１デバイスのＭＭＥの情報及び第１デバイスのＮＡＳの情報等を含んでもよく、この場合、接続確立プロセスをある程度短縮させ、第１デバイスのアクセス遅延を低減させることができる。
【００３５】
当該第１専用情報又は当該第２専用情報は、第１シグナリングの大きさ及び／又はフォーマットを含んでもよく、この場合、第１デバイスがより柔軟に第２デバイスにアクセスすることができる。
【００３６】
第２形態又は上記の第２形態のいかなる実現形態を結合し、第２形態の第６実現可能な形態において、当該第１専用情報又は当該第２専用情報は、第１シグナリングの大きさ及び／又はフォーマットを含み、当該第１シグナリングは、当該第１デバイスと当該第２デバイスとの間の接続確立を要求するために用いられ、当該情報伝送方法は、さらに、当該第１シグナリングの大きさ及び／又はフォーマットに基づいて当該第１デバイスのアップリンクリソース割り当て情報を確定することと、当該第１デバイスに当該アップリンクリソース割り当て情報を送信することと、当該第１デバイスが当該アップリンクリソース割り当て情報に基づいて送信した当該第１シグナリングを受信することとを含む。
【００３７】
選択可能で、当該ランダムアクセスメッセージにランダムアクセスプリアンブル情報が含まれ、第２デバイスは、当該ランダムアクセスプリアンブル情報に連続する固定数の周波数領域リソース及び／又は時間領域リソースにおいて当該第１専用情報又は当該第２専用情報を受信する。
【００３８】
第３形態は、上記の第１形態又は第１形態のいかなる実現可能な形態の方法を実行するように構成されるデバイスを提供する。具体的に、当該デバイスは、上記の第１形態又は第１形態のいかなる実現可能な形態の方法を実行するように構成されるユニットを含む。
【００３９】
第４形態は、上記の第２形態又は第２形態のいかなる実現可能な形態の方法を実行するように構成されるデバイスを提供する。具体的に、当該デバイスは、上記の第２形態又は第２形態のいかなる実現可能な形態の方法を実行するように構成されるユニットを含む。
【００４０】
第５形態は、デバイスを提供し、当該デバイスは、メモリー、プロセッサ、送受信機及びバスシステムを含む。ここで、メモリー、プロセッサ及び送受信機がバスシステムにより接続され、当該メモリーが命令を記憶し、当該プロセッサが当該メモリーに記憶された命令を実行し、当該命令が実行される場合、当該プロセッサは、第１形態の方法を実行し、送受信機が入力したデータ及び情報を受信し、操作結果等のデータを出力するように制御する。
【００４１】
第６形態は、デバイスを提供し、当該デバイスは、メモリー、プロセッサ、送受信機及びバスシステムを含む。ここで、メモリー、プロセッサ及び送受信機がバスシステムにより接続され、当該メモリーが命令を記憶し、当該プロセッサが当該メモリーに記憶された命令を実行し、当該命令が実行される場合、当該プロセッサは、第２形態の方法を実行し、送受信機が入力したデータ及び情報を受信し、操作結果等のデータを出力するように制御する。
【００４２】
第７形態は、コンピュータ可読記憶媒体を提供し、前記コンピュータ可読記憶媒体にはプログラムが記憶され、前記プログラムには第１形態又は第１形態のいかなる実現可能な方法を実現するための命令が含まれる。
【００４３】
第８形態は、コンピュータ可読記憶媒体を提供し、前記コンピュータ可読記憶媒体にはプログラムが記憶され、前記プログラムには第２形態又は第２形態のいかなる実現可能な方法を実現するための命令が含まれる。
【００４４】
本発明において、デバイスの名前はデバイス構成を限定せず、実際に実施する場合、上記のデバイスが他の名前で示してもよい。各デバイスの機能が本発明に類似すればよく、本発明の請求項の保護範囲に属する。
【００４５】
本発明の形態や他の形態は、以下の実施例の記載により分かりやすくなる。
【図面の簡単な説明】
【００４６】
本開示の上記および他の特徴およびメリットは、添付の図面を参照して詳細に説明する例示的な実施形態により、より明らかになる。なお、以下の記載における図面はただ本発明の一部の実施例に過ぎず、当業者の場合、創造的な労働を付与しない前提で、これらの図面によって他の図面を得ることができる。
【図１】本発明の実施例の応用可能なシーンを示す図である。
【図２】端末とネットワークデバイスとの接続の確立プロセスを示す図である。
【図３】本発明の実施例における情報伝送方法のブロック図である。
【図４】図４(ａ)〜図４(ｃ)は本発明の実施例におけるランダムアクセスプリアンブル情報と専用情報の送信位置を示す図である。
【図５】本発明の実施例における情報伝送方法の他のブロック図である。
【図６】本発明の実施例における情報伝送デバイスのブロック図である。
【図７】本発明の実施例における情報伝送デバイスの他のブロック図である。
【図８】本発明の実施例における情報伝送デバイスの他のブロック図である。
【図９】本発明の実施例における情報伝送デバイスの他のブロック図である。
【発明を実施するための形態】
【００４７】
本発明の実施例の技術的な解決策をより明確に説明するため、以下に実施例又は従来技術の記述において必要な図面を簡単に説明するが、明らかに、以下に記載する図面は本発明のいくつかの実施例に過ぎず、当業者であれば、創造的な労力を要することなく、これらの図面に基づいて他の図面を得ることができる。
【００４８】
なお、本発明の実施例における技術的解決策は様々な通信システム、例えばグローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）汎用パケット無線サービス（ＧＰＲＳ：Ｇｅｎｅｒａ１  Ｐａｃｋｅｔ  Ｒａｄｉｏ  Ｓｅｒｖｉｃｅ）システム、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワールドワイドインターオペラビリティフォーマイクロウェーブアクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、及び将来の５Ｇ通信システムなどに応用されることができる。
【００４９】
特に、本発明の実施例の技術案は、非直交多重アクセス技術に基づく各通信システム、例えば散在符号多重接続（ＳＣＭＡ：Ｓｐａｒｓｅ  Ｃｏｄｅ  Ｍｕｌｔｉｐｌｅ  Ａｃｃｅｓｓ）システム、低密度シグネチャ（ＬＤＳ：Ｌｏｗ  Ｄｅｎｓｉｔｙ  Ｓｉｇｎａｔｕｒｅ）システム等などに応用されることができ、当然、ＳＣＭＡシステムやＬＤＳシステムが通信分野において他の名前と言われてもよく、さらに、本発明の実施例の技術案は、非直交多重アクセス技術を採用するマルチキャリア伝送システム、例えば非直交多重アクセス技術を採用する直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルターバンクマルチキャリア （ＦＢＭＣ：Ｆｉｌｔｅｒ  Ｂａｎｋ  Ｍｕｌｔｉ−Ｃａｒｒｉｅｒ）、通用周波数分割多重化（ＧＦＤＭ：Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルタ−ＯＦＤＭ（Ｆ−ＯＦＤＭ：Ｆｉｌｔｅｒｅｄ−ＯＦＤＭ）システムなどに応用されることができる。
【００５０】
本発明の実施例における端末デバイスは、ユーザデバイス（ＵＥ：Ｕｓｅｒ  Ｅｑｕｉｐｍｅｎｔ）、アクセス端末、ユーザユニット、ユーザステーション、移動ステーション、移動局、遠隔局、遠隔端末、移動デバイス、ユーザ端末、端末、無線通信デバイス、ユーザエージェント又はユーザ装置と指しても良い。アクセス端末はセルラー電話、無線電話、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレス・ローカル・ループ（ＷＬＬ：Ｗｉｒｅｌｅｓｓ  Ｌｏｃａｌ  Ｌｏｏｐ）ステーション、パーソナルデジタル処理（ＰＤＡ：Ｐｅｒｓｏｎａｌ  Ｄｉｇｉｔａｌ  Ａｓｓｉｓｔａｎｔ）、無線通信機能を有する携帯デバイス、計算デバイス又は無線変調復調器に接続するその他のデバイス、車載デバイス、ウェアラブルデバイス、および将来の５Ｇネットワークにおける端末デバイス、又は将来進化型公衆移動通信網（ＰＬＭＮ：Ｐｕｂｌｉｃ  Ｌａｎｄ  Ｍｏｂｉｌｅ  Ｎｅｔｗｏｒｋ）おける端末デバイスなどであっても良い。
【００５１】
本発明の実施例におけるネットワークデバイスは端末デバイスと通信するためのデバイスであっても良く、例えばＧＳＭシステム又はＣＤＭＡにおける基地局（ＢＴＳ：Ｂａｓｅ  Ｔｒａｎｓｃｅｉｖｅｒ  Ｓｔａｔｉｏｎ）、ＷＣＤＭＡシステムにおける基地局（ＮＢ：ＮｏｄｅＢ）、ＬＴＥシステムにおける進化型基地局（ｅＮＢ又はｅＮｏｄｅＢ：Ｅｖｏｌｕｔｉｏｎａｌ  ＮｏｄｅＢ）であってよく、又は該基地局は中継局、アクセスポイント、車載デバイス、ウェアラブルデバイス及び将来の５Ｇネットワークにおけるネットワーク側デバイス、又は将来進化型公衆移動通信網ＰＬＭＮおけるネットワークデバイスなどであっても良い。
【００５２】
図１は本発明の応用シーンを示す図である。図１の通信システムが端末デバイス１０及びネットワークデバイス２０を含む。ネットワークデバイス２０が端末デバイス１０に通信サービスやコアネットワークへのアクセスを提供し、端末デバイス１０が、ネットワークデバイス２０からの同期信号、放送信号等を検索してネットワークにアクセスし、ネットワークとの通信を行う。図１に示す矢印は、端末デバイス１０とネットワークデバイス２０との間のセルラネットワークリンクにより行うアップ/ダウンリンク伝送を示している。
【００５３】
ＬＴＥシステムにおいて、端末は、電源を入れてからＰＬＭＮ選択、セル選択及びセル再選択等という一連のプロセスでセル常駐を行う。端末は、セル常駐を行ってからアイドル状態に遷移し、即ち、この時、ネットワークの登録を完了したが、ネットワークとの接続を確立せず、リアルタイムのデータ伝送を行うことができない。端末は、アイドル状態に遷移した後、サービス(発信サービスと着信サービスを含む)を開始する必要がある場合、システム情報内の構成情報に基づいて接続確立プロセスを開始する。
【００５４】
分かりやすくするために、図２を参照し接続確立プロセスを説明する。図２に示す方法は、ステップ１０１〜１０５を含む。
【００５５】
１０１において、端末がランダムアクセスプリアンブル情報を送信し、それにプリアンブルシリアルコードｐｒｅａｍｂｌｅが含まれる。即ち、端末は、基地局により構成されたｐｒｅａｍｂｌｅのうちの１つをランダム選択し、基地局に送信する。
【００５６】
１０２において、基地局は、ランダムアクセスプリアンブル情報を受信してから、端末にランダムアクセスレスポンスを送信し、ランダムアクセスレスポンスにアップリンクタイミングアドバンス(ＴＡ：Ｔｉｍｉｎｇ  Ａｄｖａｎｃｅ)、セル無線ネットワーク一時識別子(Ｃ−ＲＮTI：Ｃｅｌｌ  Ｒａｄｉｏ  Ｎｅｔｗｏｒｋ  Ｔｅｍｐｏｒａｒｙ  Ｉｄｅｎｔｉｆｉｅｒ)及びアップリンクリソース割り当てが含まれる。
【００５７】
１０３において、端末は、対応するアップリンクリソース割り当てに基づいて、基地局に接続確立要求を送信し、この中に端末の識別子、接続確立理由、例えば、緊急発信、優先度の高いアクセス、着信アクセス、発信シグナリング、発信データ、低遅延敏感度、音声サービス等のメイン情報が含まれる。
【００５８】
１０４において、基地局は、端末により送信された接続確立要求を複製し当該接続確立要求で端末に返信し、競合解消を行う。
【００５９】
１０５において、基地局が端末に接続確立メッセージを送信し、当該メッセージが専用リソース構成を含み、端末の接続状態に遷移する前のリソースを構成する。
【００６０】
１０６において、端末が接続確立完了メッセージを返信し、この中に端末が登録するＰＬＭＮの情報、端末のＭＭＥの情報及び端末の非アクセス層(Ｎｏｎ−Ａｃｃｅｓｓ  Ｓｔｒａｔｕｍ)情報が含まれる。
【００６１】
端末のアクセス制御機能をより向上させるために、本発明の実施例は、最適化された接続確立プロセスを提供する。
【００６２】
なお、本発明の実施例は、５Ｇ通信システムへの応用を例として説明するが、これに限定しない。また、本明細書に記載される「システム」及び「ネットワーク」という単語は交換可能に使用される。本明細書に記載される「及び／又は」は、関連対象の関連関係を説明するものに限られ、以下の３つの関係を示す。例えば、Ａ及び／又はＢは、Ａが単独存在すること、ＡとＢが同時に存在すること、及びＢが単独存在することそれぞれ示す。また、本明細書に記載される「／」は、通常に、前後の関連対象の「又は」の関係を示す。
【００６３】
図３は本発明の実施例の情報伝送方法２００のブロック図を示す。図３に示すように、当該方法２００は、Ｓ２１０を含み、
Ｓ２１０において、第１デバイスが第２デバイスにランダムアクセスメッセージを送信し、当該ランダムアクセスメッセージには当該第１デバイスの第１専用情報及び／又は当該第１デバイスの第２専用情報を指示するための指示情報が含まれ、当該第１専用情報と当該第２専用情報とは、当該第１デバイスと当該第２デバイスとの間の接続確立を要求するために用いられる。
【００６４】
なお、本発明の技術案は、無線通信技術シーンに応用されても良いし、デバイスツーデバイス技術(Ｄ２Ｄ：Ｄｅｖｉｃｅ ｔｏ Ｄｅｖｉｃｅ)シーンに応用されても良く、本発明の実施例の第１デバイスが端末デバイス、第２デバイスがネットワークデバイス又は端末デバイスであっても良い。当該第２デバイスが中継デバイス等であっても良い。本発明はこれを限定しない。説明しやすくするために、以下の実施例は、第１デバイスを端末デバイスとし、第２デバイスをネットワークデバイスとして説明する。
【００６５】
具体的に、端末は、電源を入れてから、選定されたＰＬＭＮから１つの適当なセルを選択して常駐し、あるセルに常駐してからシステムメッセージ及びセルブロードキャスト情報を受信することができる。通常、端末は、初めに電源を入れて登録プロセスを実行する必要があり、１つの形態として、認証を相互に行い、もう１つの形態として、ネットワークデバイスが端末のいくつかの基本情報を取得する。その後、端末がずっとアイドル状態にある。端末がアイドル状態から接続状態に切り替わる場合、ネットワークデバイスにランダムアクセスを開始する必要があり、ランダムアクセスが完了した場合のみ、端末がネットワークデバイスとデータの送受信を行うことができる。この時、端末は、ネットワークデバイスにランダムｐｒｅａｍｂｌｅコード又はネットワークデバイスにより割り当てたｐｒｅａｍｂｌｅコードを送信し、これによって、アップリンクリソース又はアップリンクＴＡ同期などをネットワークデバイスに要求する必要がある。端末は、当該ｐｒｅａｍｂｌｅコードを送信するメッセージ内に端末のいくつかの専用情報又は当該専用情報を示すための指示情報を付加することができ、当該専用情報は、例えば、当該端末の識別子、当該端末の接続要求の理由等であっても良い。
【００６６】
そして、本発明の実施例における情報伝送方法は、ランダムアクセスメッセージに第１デバイスの第１専用情報及び／又は第１デバイスの第２専用情報を指示するための指示情報を付けることで、アクセスプロセスを最適化し、第１デバイスがより高速又は柔軟に第２デバイスにアクセスするように、第１デバイスのアクセス制御機能を向上させることができる。
【００６７】
なお、本発明の実施例におけるランダムアクセスメッセージは、第１デバイスがアイドル状態から接続状態に切り替わるメッセージであっても良いし、当該第１デバイスがサービスを行うように指示するためのものであっても良く、つまり、当該ランダムアクセスメッセージは、ランダムアクセスプリアンブル情報が含まれるメッセージであっても良い。本発明はこれを限定しない。
【００６８】
なお、当該第１専用情報と当該第２専用情報に含まれる情報とは、同じであっても良いし、一部が同じであっても良いし、全く相違してもよい。本発明はこれを限定しない。
【００６９】
選択可能で、当該端末の第１専用情報又は第２専用情報は、端末がネットワークデバイスとの接続を確立する関連情報であっても良いし、端末がネットワークデバイスとの接続を確立する関連構成情報であっても良い。例えば、端末の初期識別子(一時モバイルユーザ識別子又はランダム数など)、端末の接続確立理由(緊急発信、優先度の高いアクセス、着信アクセス、発信シグナリング、発信データ、低遅延敏感度及び音声サービス等を含む)であっても良いし、端末がその後に送信したシグナリングの大きさ及び／又はフォーマット等であっても良いし、端末が送信する必要があるＰＬＭＮ情報、ＭＭＥの情報及びＮＡＳの情報であっても良い。本発明は、当該第１専用情報及び／又は第２専用情報に含まれるものを限定しない。
【００７０】
具体的に、当該第１専用情報又は当該第２専用情報は、端末がネットワークデバイスに送信した接続確立要求メッセージに含まれるメイン情報、例えば端末の識別子及び接続確立の理由等を含む場合、接続確立プロセスをある程度短縮させ、端末のアクセス遅延を低減させることができる。当該第１専用情報又は当該第２専用情報は、端末がネットワークデバイスに送信した接続確立完了メッセージに含まれるメイン情報、例えば端末が登録する公衆移動通信網ＰＬＭＮの情報、端末のＭＭＥの情報及び端末のＮＡＳの情報などを含む場合、接続確立プロセスをある程度短縮させ、端末のアクセス遅延を低減させることができる。当該第１専用情報又は当該第２専用情報は、第１シグナリングの大きさ及び／又はフォーマットを含む場合、端末がより柔軟にネットワークデバイスにアクセスすることができる。
【００７１】
選択可能で、当該ランダムアクセスメッセージに含まれるものは、ネットワークデバイスにより確定されても良いし、端末とネットワークデバイスとが予め交渉して確定されてもよい。
【００７２】
選択可能で、本発明の実施例において、当該ランダムアクセスメッセージに当該指示情報が含まれ、当該指示情報は、当該ネットワークデバイスが予め設定された第１リソースにおいて当該第２専用情報を取得するように指示するために用いられ、当該情報伝送方法は、さらに、当該第１リソースにおいて当該第２専用情報を送信することを含む。
【００７３】
選択可能で、本発明の他の実施例において、当該ランダムアクセスメッセージに当該指示情報が含まれ、当該指示情報は、当該端末が当該ネットワークデバイスに当該第２専用情報を送信するように指示するために用いられ、当該情報伝送方法は、さらに、当該端末が予め設定された第２リソースにおいて当該第２専用情報を送信することを含む。
【００７４】
具体的に、端末デバイスは、ネットワークデバイスと予め交渉して当該第２専用情報を伝送するための複数のリソースを確定し、交渉して確定されたリソースからあるリソースを選択して当該第２専用情報を伝送し、ネットワークデバイスが端末の選択したリソースにおいて当該第２専用情報を取得するように指示してもよい。端末デバイスは、ネットワークデバイスと予め交渉して当該第２専用情報を伝送するための１つのリソースを確定し、端末が当該第２専用情報を送信したことをネットワークデバイスに指示してもよく、この場合、ネットワークデバイスは、予め設定されたリソースにおいて当該第２専用情報を取得することができる。また、端末がネットワークデバイスと予め合意し、当該ランダムアクセスメッセージにランダムアクセスプリアンブル情報が含まれる場合、ネットワークデバイスが予め設定されたリソースにおいて専用情報を取得し又はネットワークデバイスが予め設定されたリソースにおいて専用情報が存在するかどうかを監視している。本発明は、ネットワークデバイスがどのように第２専用情報を取得するように指示する方法を限定しない。
【００７５】
選択可能で、本発明の他の実施例において、当該ランダムアクセスメッセージに当該第１専用情報及び当該指示情報が含まれ、当該第１専用情報と当該第２専用情報とは、相違する情報を含む。
【００７６】
予め設定されたリソースにおいて第１専用情報を送信し及び／又はランダムアクセスメッセージに第２専用情報を付けることで、第１デバイスは、第２デバイスからのアップリンクリソース割り当てを待つ必要がなく、第１デバイスのアクセス遅延を低減させることができる
なお、本発明の実施例において、当該第１リソース及び／又は当該第２リソースは、時間領域のリソースであっても良いし、周波数領域のリソースであっても良く、本発明はこれを限定しない。
【００７７】
以下、図４(ａ)〜図４(ｃ)を参照し、本発明の実施例の専用情報、ランダムアクセスプリアンブル情報及びランダムアクセスメッセージの各種の位置関係を説明する。
【００７８】
図４(ａ)に示すように、端末とネットワークデバイスとが予め交渉して確定した又はネットワークデバイスが予め構成した当該ランダムアクセスプリアンブル情報と当該専用情報とは、同一の時間領域ユニットの連続して相違する周波数領域リソースに位置してもよい。
【００７９】
図４(ｂ)に示すように、端末とネットワークデバイスとが予め交渉して確定した又はネットワークデバイスが予め構成した当該指示情報と当該専用情報とは、連続して相違する時間領域リソースに位置してもよい。
【００８０】
図４(ｃ)に示すように、端末とネットワークデバイスとが予め交渉して確定した又はネットワークデバイスが予め構成した当該ランダムアクセスプリアンブル情報と当該第１専用情報とは、同一の時間領域ユニットの連続して相違する周波数領域リソースに位置してもよく、端末とネットワークデバイスとが予め交渉して確定した又はネットワークデバイスが予め構成した当該ランダムプリアンブルアクセス情報と当該第２専用情報とは、連続して相違する時間領域リソースに位置してもよい。
【００８１】
なお、本発明の実施例において、専用情報とランダムアクセスプリアンブル情報及び／又は指示情報を送信するリソースは、周波数領域リソース又は時間領域リソースにおいて連続しなくてもよく、上記の実施例は、例示的なものであり、上記の実施例を組み合わせてもよく、本発明はこれを限定しない。
【００８２】
さらに、当該専用情報に端末のその後に送信した第１シグナリングの大きさ及び／又はフォーマットが含まれる場合、当該第１シグナリングは、接続確立に関連するシグナリングであっても良く、具体的に、接続確立要求メッセージであっても良く、ネットワークデバイスは、当該第１シグナリングの大きさ及び／又はフォーマットを受信した後、当該端末にアップリンクリソースを割り当て、当該アップリンク割り当てリソース情報を当該端末に送信してもよく、この場合、当該端末は、さらに、ネットワークデバイスに当該接続確立要求メッセージを送信する。
【００８３】
具体的に、当該ランダムアクセスメッセージに含まれる専用情報の内容に基づいて以降のステップを確定してもよい。例えば、当該専用情報には端末の接続確立に関連する上記の全ての情報が含まれる場合、端末とネットワークデバイスとが接続確立要求の送受信、例えば、接続確立要求メッセージ、接続確立メッセージ及び接続確立完了メッセージ等の送受信を行わなくてもよい。端末は、ランダムアクセスレスポンスメッセージにおいて、ネットワークデバイスにより当該端末のために構成された各種の情報を付加してもよい。当該専用情報が伝送する第１シグナリングの大きさ及びフォーマットのみを含む場合、ネットワークデバイスは、その後に送信した第１シグナリングの大きさ及びフォーマットを分かっているが、端末デバイスは、依然としてネットワークデバイスとの接続確立要求の送受信を行う必要がある。当該専用情報が接続確立要求メッセージ内の内容のみを含む場合、端末は、以降のネットワークデバイスとの接続確立要求の送受信を行う過程において接続確立要求メッセージを省略してもよい。なお、専用情報に含まれる内容に応じて、端末のネットワークデバイスへのアクセスプロセスが相違する可能性があり、端末がより高速又は柔軟にネットワークデバイスへアクセスする技術案は、本発明の実施例に含まれ、簡潔にするために、ここでは説明を省略する。
【００８４】
図５は本発明の実施例における情報伝送方法３００のブロック図である。図５に示すように、当該方法３００は、Ｓ３１０を含む。
【００８５】
Ｓ３１０において、第２デバイスが第１デバイスにより送信されたランダムアクセスメッセージを受信し、当該ランダムアクセスメッセージには当該第１デバイスの第１専用情報及び／又は当該第１デバイスの第２専用情報を指示するための指示情報が含まれ、当該第１専用情報と当該第２専用情報とは、当該第１デバイスと当該第２デバイスとの間の接続確立を要求するために用いられる。
【００８６】
具体的に、端末は、ネットワークデバイスにデータ送信し又はネットワークデバイスからのシグナリング又はデータを受信する場合、つまり、アイドル状態から接続状態に切り替わる場合、初期アクセス過程を行う必要があり、即ち、ネットワークデバイスにｐｒｅａｍｂｌｅコードを送信する必要がある。ネットワークデバイスは、端末により送信されたｐｒｅａｍｂｌｅコードを検定した場合、ダウンリンク共有チャネルにおいてレスポンスを送信し、当該レスポンスに検定されたプリアンブルシーケンスのインデックス番号が含まれてもよく、アップリンク同期の時間調整情報、初期アップリンクリソースに割り当て及び一時のＣ−ＲＮＴＩに用いられる。ネットワークデバイスは、第１専用情報及び／又は第２専用情報を指示する指示情報が含まれる当該ランダムアクセスメッセージを受信した場合、当該ランダムアクセスメッセージから当該第１専用情報を取得し及び／又は予め設定された第１リソースにおいて当該第２専用情報を取得することができる。
【００８７】
そして、本発明の実施例における情報伝送方法は、第１デバイスの第１専用情報及び／又は当該第１デバイスの第２専用情報を指示するための指示情報が含まれるランダムアクセスメッセージを受信することで、アクセスプロセスを最適化し、ネットワークのアクセス制御機能を向上させ、第１デバイスがより高速又は柔軟に第２デバイスにアクセスすることができる。
【００８８】
なお、本発明の実施例におけるランダムアクセスメッセージは、端末がアイドル状態から接続状態に切り替わるメッセージであっても良いし、当該端末がサービスを行うように指示するためのものであっても良く、つまり、当該ランダムアクセスメッセージは、ランダムアクセスプリアンブル情報が含まれるメッセージであっても良い。本発明はこれを限定しない。
【００８９】
なお、当該第１専用情報と当該第２専用情報に含まれる情報とは、同じであっても良いし、一部が同じであっても良いし、全く相違してもよい。本発明はこれを限定しない。
【００９０】
選択可能で、当該第１専用情報又は当該第２専用情報は、当該端末の識別子情報、当該端末が接続確立を要求する理由、当該端末が送信する第１シグナリングの大きさ及び／又はフォーマット、当該端末が登録する公衆移動通信網ＰＬＭＮの情報、当該端末のモビリティ管理エンティティＭＭＥの情報及び当該端末の非アクセス層ＮＡＳの情報のうちの少なくとも１つを含む。
【００９１】
本発明の１つの実施例として、選択可能で、当該指示情報は、当該ネットワークデバイスが予め設定された第１リソースにおいて当該第２専用情報を取得するように指示するために用いられる。具体的に、端末デバイスは、ネットワークデバイスと予め交渉して当該第２専用情報を伝送るための複数のリソースを確定し、交渉して確定された複数のリソースからあるリソースを選択して当該第２専用情報を伝送し、ネットワークデバイスが端末により選択された第１リソースにおいて当該第２専用情報を取得するように指示する。ネットワークデバイスは、当該指示情報を受信した後、当該指示情報に指示する第１リソースにおいて当該第２専用情報を取得する。
【００９２】
本発明の他の１つの実施例として、選択可能で、当該指示情報は、当該端末がネットワークデバイスに当該第２専用情報を送信するように指示するために用いられる。具体的に、端末デバイスがネットワークデバイスと予め交渉して当該第２専用情報を伝送するための１つのリソースを確定し、ネットワークデバイスが当該指示情報を受信する場合、予め設定されたリソースにおいて当該第２専用情報を取得し、または、端末がネットワークデバイスと予め交渉して、当該ランダムアクセスメッセージにランダムアクセスプリアンブル情報が含まれる場合、ネットワークデバイスが予め設定されたリソースにおいて専用情報を取得し、又はネットワークデバイスが予め設定されたリソースにおいて当該第２専用情報が存在するかどうかをずっと監視している。本発明は、ネットワークデバイスがどのように第２専用情報を取得するように指示する方法を限定しない。
【００９３】
本発明の他の実施例として、選択可能で、当該ランダムアクセスメッセージに当該第１専用情報及び当該指示情報が含まれ、当該第１専用情報と当該第２専用情報とは、相違する情報を含む。
【００９４】
さらに、当該方法は、さらに、当該第１シグナリングの大きさ及び／又はフォーマットに基づいて当該端末のアップリンクリソース割り当て情報を確定することと、当該端末に当該アップリンクリソース割り当て情報を送信することと、当該端末が当該アップリンクリソース割り当て情報に基づいて送信した当該第１シグナリングを受信することとを含む。
【００９５】
具体的に、当該ランダムアクセスメッセージに含まれる専用情報の内容に基づいて以降のステップを確定してもよい。例えば、当該専用情報に端末の接続確立に関連する上記の全ての情報が含まれる場合、端末とネットワークデバイスとは接続確立要求の送受信、例えば、接続確立要求メッセージ、接続確立メッセージ及び接続確立完了メッセージ等の送受信を行わなくてもよい。端末は、ランダムアクセスレスポンスメッセージにおいて、ネットワークデバイスにより当該端末のために構成された各種の情報を付加してもよい。当該専用情報が伝送する第１シグナリングの大きさ及びフォーマットのみを含む場合、ネットワークデバイスは、その後に送信した第１シグナリングの大きさ及びフォーマットを分かっているが、端末デバイスは、依然としてネットワークデバイスとの接続確立要求の送受信を行う必要がある。当該専用情報が接続確立要求メッセージ内の内容のみを含む場合、端末は、以降のネットワークデバイスと接続確立要求の送受信を行う過程において接続確立要求メッセージを省略してもよい。なお、専用情報の内容に応じて、端末のネットワークデバイスへのアクセスプロセスが相違する可能性があり、端末がより高速又は柔軟にネットワークデバイスへアクセスする技術案は、本発明の実施例に含まれ、簡潔にするために、ここでは説明を省略する。
【００９６】
なお、上記の各方法実施例において、通常に、ネットワークデバイスが基地局であり、端末がユーザデバイスである。
【００９７】
なお、第２デバイス側で説明する第２デバイスと第１デバイスとの関連処理、特性、機能等について、第１デバイスの関連特性や機能に対応し、簡潔にするために、ここでは説明を省略する。
【００９８】
なお、本発明の各実施例において、上記各過程の番号が実行順番の前後を意味せず、各過程の実行順番は、その機能及び組み込み論理に決定され、本発明の実施例の実行過程を限定しない。
【００９９】
以上、図３〜図５を参照し、本発明の実施例における情報伝送方法を説明し、以下、図６〜図９を参照し、本発明の実施例における情報伝送デバイスを説明し、方法による実施例に記載された技術的特徴は、以下のデバイスによる実施例に応用される。
【０１００】
図６は本発明の実施例における情報伝送デバイス４００のブロック図を示す。図６に示すように、当該デバイス４００が第１デバイスであり、送信ユニット４１０を含む。
【０１０１】
送信ユニット４１０は、第２デバイスにランダムアクセスメッセージを送信するように構成され、当該ランダムアクセスメッセージには当該第１デバイス４００の第１専用情報及び／又は当該第１デバイス４００の第２専用情報を指示するための指示情報が含まれ、当該第１専用情報と当該第２専用情報とは、当該第１デバイス４００と当該第２デバイスとの間の接続確立を要求するために用いられる。
【０１０２】
本発明の技術案は、デバイス４００のアイドル状態から接続状態への遷移シーンに応用され、他のシーンにも応用され、本発明の実施例と同じ思想を有する技術案は、本発明の実施例の拡張したものに属する。
【０１０３】
そして、本発明の実施例における情報伝送デバイスは、ランダムアクセスメッセージに第１デバイスの第１専用情報及び／又は第１デバイスの第２専用情報を指示するための指示情報を付けることで、アクセスプロセスを最適化し、第１デバイスがより高速又は柔軟に第２デバイスにアクセスするように、第１デバイスのアクセス制御機能を向上させることができる。
【０１０４】
選択可能で、本発明の実施例において、当該ランダムアクセスメッセージに当該指示情報が含まれ、当該指示情報は、当該第２デバイスが予め設定された第１リソースにおいて当該第２専用情報を取得するように指示するために用いられ、当該送信ユニット４１０は、さらに、
当該第１リソースにおいて当該第２専用情報を送信するように構成される。
【０１０５】
選択可能で、本発明の実施例において、当該ランダムアクセスメッセージに当該指示情報が含まれ、当該指示情報は、当該第１デバイスが当該第２デバイスに当該第２専用情報を送信するように指示するために用いられ、当該送信ユニット４１０は、さらに、
予め設定された第２リソースにおいて当該第２専用情報を送信するように構成される。
【０１０６】
選択可能で、本発明の実施例において、当該ランダムアクセスメッセージに当該第１専用情報及び当該指示情報が含まれ、当該第１専用情報と当該第２専用情報とは、相違する情報を含む。
【０１０７】
選択可能で、本発明の実施例において、当該第１専用情報又は当該第２専用情報は、当該第１デバイスの識別子情報、当該第１デバイスが接続確立を要求する理由、当該第１デバイスが送信する第１シグナリングの大きさ及び／又はフォーマット、当該第１デバイスが登録する公衆移動通信網ＰＬＭＮの情報、当該第１デバイスのモビリティ管理エンティティＭＭＥの情報及び当該第１デバイスの非アクセス層ＮＡＳの情報のうちの少なくとも１つを含む。
【０１０８】
選択可能で、本発明の実施例において、当該第１専用情報又は当該第２専用情報は、第１シグナリングの大きさ及び／又はフォーマットを含み、当該第１シグナリングは、当該第１デバイスと当該第２デバイスとの間の接続確立を要求するために用いられ、当該デバイス４００は、さらに、受信ユニット４２０を含み、
受信ユニット４２０は、当該第２デバイスにより送信されたアップリンクリソース割り当て情報を受信するように構成され、
当該送信ユニット４１０は、さらに、
当該アップリンクリソース割り当て情報に基づいて当該第２デバイスに当該第１シグナリングを送信するように構成される。
【０１０９】
選択可能で、当該デバイス４００が端末デバイスであり、当該第２デバイスがネットワークデバイス又は端末デバイスである。
【０１１０】
なお、本発明の実施例におけるデバイス４００が本発明の実施例における情報伝送方法２００の第１デバイスに対応し、さらに、デバイス４００の各モジュールの上記及び他の操作及び／又は機能が図３及び図４の各方法のプロセスを実現し、簡潔にするために、ここでは説明を省略する。
【０１１１】
図７は本発明の実施例における情報伝送デバイス５００のブロック図を示す。図７に示すように、当該デバイス５００は、第２デバイスであり、受信ユニット５１０を含む。
【０１１２】
受信ユニット５１０は、第１デバイスにより送信されたランダムアクセスメッセージを受信するように構成され、前記ランダムアクセスメッセージには前記第１デバイスの第１専用情報及び／又は前記第１デバイスの第２専用情報を指示するための指示情報が含まれ、前記第１専用情報と前記第２専用情報とは、前記第１デバイスと前記第２デバイスとの間の接続確立を要求するために用いられる。
【０１１３】
そして、本発明の実施例における情報伝送デバイスは、第１デバイスの第１専用情報及び／又は当該第１デバイスの第２専用情報を指示するための指示情報が含まれるランダムアクセスメッセージを受信することで、アクセスプロセスを最適化し、第１デバイスアクセス制御機能をさらに向上させ、第１デバイスがより高速又は柔軟に第２デバイスにアクセスすることができる。
【０１１４】
選択可能で、本発明の実施例において、当該ランダムアクセスメッセージに当該指示情報が含まれ、当該指示情報は、当該第２デバイスが予め設定された第１リソースにおいて当該第２専用情報を取得するように指示するために用いられ、当該デバイス５００は、さらに、第１取得ユニット５２０を含み、
第１取得ユニット５２０は、当該指示情報に基づいて当該第１リソースにおいて当該第２専用情報を取得するように構成される。
【０１１５】
選択可能で、本発明の実施例において、当該ランダムアクセスメッセージに当該指示情報が含まれ、当該指示情報は、当該第１デバイスが当該第２デバイスに当該第２専用情報を送信するように指示するために用いられ、当該デバイス５００は、さらに、第２取得ユニット５３０を含み、
第２取得ユニット５３０は、予め設定された第２リソースにおいて当該第２専用情報を取得するように構成される。
【０１１６】
選択可能で、本発明の実施例において、当該ランダムアクセスメッセージに当該第１専用情報が含まれ、当該デバイス５００は、さらに、第３取得ユニット５４０を含み、
第３取得ユニット５４０は、当該ランダムアクセスメッセージから当該第１専用情報を取得するように構成される。
【０１１７】
選択可能で、本発明の実施例において、当該ランダムアクセスメッセージに当該第１専用情報と当該指示情報が含まれ、当該第１専用情報と当該第２専用情報とは、相違する情報を含む。
【０１１８】
選択可能で、本発明の実施例において、当該第１専用情報又は当該第２専用情報は、当該第１デバイスの識別子情報、当該第１デバイスの接続確立要求の理由、当該第１デバイスが送信する第１シグナリングの大きさ及び／又はフォーマット、当該第１デバイスが登録する公衆移動通信網ネットワークＰＬＭＮの情報、当該第１デバイスのモビリティ管理エンティティＭＭＥの情報及び当該第１デバイスの非アクセス層ＮＡＳの情報のうちの少なくとも１つを含む。
【０１１９】
選択可能で、本発明の実施例において、当該第１専用情報又は当該第２専用情報は、第１シグナリングの大きさ及び／又はフォーマットを含み、当該第１シグナリングは、当該第１デバイスと当該第２デバイスとの間の接続確立を要求するために用いられ、
当該デバイス５００は、さらに、確定ユニット５５０を含み、
確定ユニット５５０は、当該第１シグナリングの大きさ及びフォーマットに基づいて、当該第１デバイスのアップリンクリソース割り当て情報を確定するように構成され、
送信ユニット５６０は、当該第１デバイスに当該アップリンクリソース割り当て情報を送信するように構成され、
当該受信ユニット５１０は、さらに、
当該第１デバイスが当該アップリンクリソース割り当て情報に基づいて送信した当該第１シグナリングを受信するように構成される。
【０１２０】
選択可能で、当該第１デバイスが端末デバイスであり、当該デバイス５００がネットワークデバイス又は端末デバイスである。
【０１２１】
なお、本発明の実施例におけるデバイス５００が本発明の実施例における情報伝送方法３００の第２デバイスに対応し、さらに、デバイス５００の各モジュールの上記及び他の操作及び／又は機能が図４及び図５の各方法のプロセスを実現し、簡潔にするために、ここでは説明を省略する。
【０１２２】
なお、上記の実施例におけるデバイスは、その機能を実現する場合、上記の各機能ユニットによって分け説明し、実際に、要求に応じて上記の機能を割り当て異なる機能ユニットにより実行してもよく、即ち、デバイスの内部構成を異なる機能ユニットに分けて、上記の部分又はすべての機能を実現する。また、上記の実施例におけるデバイスと方法による実施例とは同一の思想に属し、実現過程が方法による実施例を参照し、ここでは説明を省略する。
【０１２３】
図８は本発明の実施例におけるデバイス１０のブロック図を示す。図８に示すデバイス１０は、メモリー１１、プロセッサ１２、送受信機１３及びバスシステム１４を含む。ここで、メモリー１１、プロセッサ１２及び送受信機１３は、バスシステム１４により接続され、当該メモリー１１は命令を記憶し、当該プロセッサ１２は、当該メモリー１１に記憶された命令を実行して、送受信機１３が入力されたデータ及び情報を受信し、操作結果等のデータを出力する。
【０１２４】
プロセッサ１２は、当該送受信機１３で第２デバイスにランダムアクセスメッセージを送信し、当該ランダムアクセスメッセージにデバイス１０の第１専用情報及び／又は用当該デバイス１０の第２専用情報を指示するための指示情報が含まれ、当該第１専用情報と当該第２専用情報とは、当該デバイス１０と当該第２デバイスとの間の接続確立を要求するために用いられる。
【０１２５】
なお、本発明の実施例において、当該プロセッサ１２は、中央処理装置（ＣＰＵ：Ｃｅｎｔｒａｌ  Ｐｒｏｃｅｓｓｉｎｇ  Ｕｎｉｔ）、マイクロプロセッサ、応用専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、又は１つ以上の集積回路を利用して、関連のプログラムを実行し、本発明の実施例における技術案を実現する。
【０１２６】
当該メモリー１１は、読み取り専用メモリー及びランダムアクセスメモリーを含み、プロセッサ１２に命令及びデータを提供する。プロセッサ１２の一部は、不揮発性ランダムアクセスメモリーを含む。例えば、プロセッサ１２は、デバイスタイプの情報を記憶することができる。
【０１２７】
当該バスシステム１４はデータバス、電源バス、制御バス及び状態信号バス等を含む。明確にするために、図にバスシステム１４で各バスを示す。
【０１２８】
実際に、上記の方法の各ステップは、プロセッサ１２のハードウェアの集積ロジック回路又はソフトウェアの命令により実行することができる。本発明の実施例における無線通信の方法を参照し、ハードウェアであるプロセッサにより実行し、又は用プロセッサのハードウェアとソフトウェアとの組み合わせで実行する。ソフトウェアモジュールがランダムメモリー、フラッシュメモリ、読み取り専用メモリー、プログラマブル読み取り専用メモリー又は電気的に消去可能なプログラマブルメモリー、レジスター等の本分野に知られる記憶媒体に位置する。当該記憶媒体がメモリー１１に位置し、プロセッサ１２は、メモリー１１内の情報を読み、そのハードウェアにより上記の方法のステップを実行する。簡潔にするために、ここでは説明を省略する。
【０１２９】
選択可能で、１つの実施例として、当該ランダムアクセスメッセージに当該指示情報が含まれ、当該指示情報は、当該第２デバイスが予め設定された第１リソースにおいて当該第２専用情報を取得するように指示するために用いられ、当該プロセッサ１２は、さらに、当該送受信機１３で当該第１リソースにおいて当該第２専用情報を送信するように構成される。
【０１３０】
選択可能で、１つの実施例として、当該ランダムアクセスメッセージに当該指示情報が含まれ、当該指示情報は、当該デバイス１０が当該第２デバイスに当該第２専用情報を送信するように指示するために用いられ、当該プロセッサ１２は、さらに、当該送受信機１３で予め設定された第２リソースにおいて当該第２専用情報を送信するように構成される。
【０１３１】
選択可能で、１つの実施例として、当該ランダムアクセスメッセージに当該第１専用情報及び当該指示情報が含まれ、当該第１専用情報と当該第２専用情報とは、相違する情報を含む。
【０１３２】
選択可能で、１つの実施例として、当該第１専用情報又は当該第２専用情報は、当該デバイス１０の識別子情報、当該デバイス１０の接続確立要求の理由、当該デバイス１０が送信する第１シグナリングの大きさ及び／又はフォーマット、当該デバイス１０が登録する公衆移動通信網ネットワークＰＬＭＮの情報、当該デバイス１０のモビリティ管理エンティティＭＭＥの情報及び当該デバイス１０の非アクセス層ＮＡＳの情報のうちの少なくとも１つを含む。
【０１３３】
選択可能で、１つの実施例として、当該第１専用情報又は当該第２専用情報は、第１シグナリングの大きさ及び／又はフォーマットを含み、当該第１シグナリングは、当該第１デバイス１０と当該第２デバイスとの間の接続確立を要求するために用いられ、当該プロセッサ１２は、送受信機１３で当該第２デバイスにより送信されたアップリンクリソース割り当て情報を受信し、当該アップリンクリソース割り当て情報は、当該第１シグナリングの大きさ及び／又はフォーマットに基づいて確定されたものであり、さらに、当該アップリンクリソース割り当て情報に基づいて当該第２デバイスに当該第１シグナリングを送信するように構成される。
【０１３４】
選択可能で、当該デバイス１０が端末デバイスであり、当該第２デバイスがネットワークデバイス又は端末デバイスである。
【０１３５】
そして、本発明の実施例における情報伝送端末は、ランダムアクセスメッセージに第１デバイスの第１専用情報及び／又は第１デバイスの第２専用情報を指示するための指示情報を付けることで、アクセスプロセスを最適化し、第１デバイスがより高速又は柔軟に第２デバイスにアクセスするように、第１デバイスのアクセス制御機能を向上させることができる。
【０１３６】
なお、本発明の実施例におけるデバイス１０が本発明の実施例における情報伝送方法の第１デバイスに対応し、本発明の実施例におけるデバイス４００に対応し、さらに、デバイス１０の各モジュールの上記及び他の操作及び／又は機能が図３及び図４の各方法のプロセスを実現し、簡潔にするために、ここでは説明を省略する。
【０１３７】
図９は本発明の実施例におけるデバイス２０のブロック図を示す。図９に示すデバイス２０は、メモリー２１、プロセッサ２２、送受信機２３及びバスシステム２４を含む。ここで、メモリー２１、プロセッサ２２及び送受信機２３は、バスシステム２４により接続され、当該メモリー２１は命令を記憶し、当該プロセッサ２２は、当該メモリー２１に記憶された命令を実行して、送受信機２３が入力されたデータ及び情報を受信し、操作結果等のデータを出力する。
【０１３８】
プロセッサ２２は、当該送受信機２３で当該第１デバイスにより送信されたランダムアクセスメッセージを受信し、当該ランダムアクセスメッセージにデバイス１０の第１専用情報及び／又は当該デバイス１０の第２専用情報を指示するための指示情報が含まれ、当該第１専用情報と当該第２専用情報とは、当該デバイス１０と当該第２デバイスとの間の接続確立を要求するために用いられる。
【０１３９】
なお、本発明の実施例において、当該プロセッサ２２は、中央処理装置（ＣＰＵ：Ｃｅｎｔｒａｌ  Ｐｒｏｃｅｓｓｉｎｇ  Ｕｎｉｔ）、マイクロプロセッサ、応用専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、又は１つ以上の集積回路を利用して、関連のプログラムを実行し、本発明の実施例における技術案を実現する。
【０１４０】
当該メモリー２１は、読み取り専用メモリー及びランダムアクセスメモリーを含み、プロセッサ２２に命令及びデータを提供する。プロセッサ２２の一部は、不揮発性ランダムアクセスメモリーを含む。例えば、プロセッサ２２は、デバイスタイプの情報を記憶することができる。
【０１４１】
当該バスシステム２４はデータバス、電源バス、制御バス及び状態信号バス等を含む。明確にするために、図にバスシステム２４で各バスを示す。
【０１４２】
実際に、上記の方法の各ステップは、プロセッサ２２のハードウェアの集積ロジック回路又はソフトウェアの命令により実行することができる。本発明の実施例における無線通信の方法を参照し、ハードウェアであるプロセッサにより実行し、又は用プロセッサのハードウェアとソフトウェアとの組み合わせで実行する。ソフトウェアモジュールがランダムメモリー、フラッシュメモリ、読み取り専用メモリー、プログラマブル読み取り専用メモリー又は電気的に消去可能なプログラマブルメモリー、レジスター等の本分野に知られる記憶媒体に位置する。当該記憶媒体がメモリー２１に位置し、プロセッサ２２は、メモリー２１内の情報を読み、そのハードウェアにより上記の方法のステップを実行する。簡潔にするために、ここでは説明を省略する。
【０１４３】
選択可能で、１つの実施例として、当該ランダムアクセスメッセージに当該指示情報が含まれ、当該指示情報は、当該デバイス２０が予め設定された第１リソースにおいて当該第２専用情報を取得するように指示するために用いられ、当該プロセッサ２２は、さらに、当該指示情報に基づいて当該第１リソースにおいて当該第２専用情報を取得するように構成される。
【０１４４】
選択可能で、１つの実施例として、当該ランダムアクセスメッセージに当該指示情報が含まれ、当該指示情報は、当該第１デバイスが当該デバイス２０に当該第２専用情報を送信するように指示するために用いられ、当該プロセッサ２２は、さらに、予め設定された第２リソースにおいて当該第２専用情報を取得するように構成される。
【０１４５】
選択可能で、１つの実施例として、当該ランダムアクセスメッセージに当該第１専用情報が含まれ、当該プロセッサ２２は、さらに、当該ランダムアクセスメッセージから当該第１専用情報を取得するように構成される。
【０１４６】
選択可能で、１つの実施例として、当該ランダムアクセスメッセージに当該第１専用情報及び当該指示情報が含まれ、当該第１専用情報と当該第２専用情報とは、相違する情報を含む。
【０１４７】
選択可能で、１つの実施例として、当該第１専用情報又は当該第２専用情報は、当該第１デバイスの識別子情報、当該第１デバイスの接続確立要求の理由、当該第１デバイスが送信する第１シグナリングの大きさ及び／又はフォーマット、当該第１デバイスが登録する公衆移動通信網ネットワークＰＬＭＮの情報、当該第１デバイスのモビリティ管理エンティティＭＭＥの情報及び当該第１デバイスの非アクセス層ＮＡＳの情報のうちの少なくとも１つを含む。
【０１４８】
選択可能で、１つの実施例として、当該第１専用情報又は当該第２専用情報は、第１シグナリングの大きさ及び／又はフォーマットを含み、当該第１シグナリングは、当該第１デバイスと当該デバイス２０との間に接続の確立を要求するために用いられ、当該プロセッサ２２は、さらに、当該第１シグナリングの大きさ及びフォーマットに基づいて、当該第１デバイスのアップリンクリソース割り当て情報を確定し、当該送受信機２３で当該第１デバイスに当該アップリンクリソース割り当て情報を送信し、当該送受信機２３で当該第１デバイスが当該アップリンクリソース割り当て情報に基づいて送信した当該第１シグナリングを受信するように構成される。
【０１４９】
選択可能で、当該第１デバイスが端末デバイスであり、当該デバイス２０がネットワークデバイス又は端末デバイスである。
【０１５０】
そして、本発明の実施例における情報伝送デバイスは、第１デバイスの第１専用情報及び／又は当該第１デバイスの第２専用情報を指示するための指示情報が含まれるランダムアクセスメッセージを受信することで、アクセスプロセスを最適化し、ネットワークのアクセス制御機能を向上させ、第１デバイスがより高速又は柔軟に第２デバイスにアクセスすることができる。
【０１５１】
なお、本発明の実施例におけるデバイス２０が本発明の実施例における情報伝送方法３００の第２デバイスに対応し、本発明の実施例におけるデバイス５００に対応し、さらに、デバイス２０の各モジュールの上記及び他の操作及び／又は機能が図４及び図５の各方法のプロセスを実現し、簡潔にするために、ここでは説明を省略する。
【０１５２】
なお、本発明の実施例において、「Ａに対応するＢ」は、ＢがＡに関連し、ＡによってＢを確定することを示す。ただし、ＡによってＢを確定することは、ＡのみによってＢを確定することを意味せず、Ａ及び／又は他の情報によってＢを確定してもよい。
【０１５３】
また、本明細書に記載される「及び／又は」は、関連対象の関連関係を説明するものに過ぎず、以下の３つの関係を示す。例えば、Ａ及び／又はＢは、Ａが単独存在すること、ＡとＢが同時に存在すること、及びＢが単独存在することそれぞれ示す。また、本明細書に記載される「／」は、通常に、前後の関連対象の「又は」の関係を示す。
【０１５４】
なお、本発明の各実施例において、上記各過程の番号が実行順番の前後を意味せず、各過程の実行順番は、その機能及び組み込み論理に決定され、本発明の実施例の実行過程を限定しない。
【０１５５】
本願に開示されている実施例に説明されている各例示的なユニット及びアルゴリズムのステップを結合し、電子ハードウェア、又はコンピュータソフトウェアと電子ハードウェアの結合を用いて実現することができることを、当業者であれば理解できる。これらの機能がハードウェアの形式かあるいはソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０１５６】
当業者は、簡潔にするために、上記のシステム、装置及びユニットの動作過程が上記の方法の実施例の過程を参照することができることを理解すべきであり、ここで説明を省略する。
【０１５７】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを他のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０１５８】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０１５９】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０１６０】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０１６１】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2019527949.tif 000003
【図２】
2019527949.tif 000004
【図３】
2019527949.tif 000005
【図４（ａ）】
2019527949.tif 000006
【図４（ｂ）】
2019527949.tif 000007
【図４（ｃ）】
2019527949.tif 000008
【図５】
2019527949.tif 000009
【図６】
2019527949.tif 000010
【図７】
2019527949.tif 000011
【図８】
2019527949.tif 000012
【図９】
2019527949.tif 000013
【手続補正書】
【提出日】平成31年2月20日(2019.2.20)
【手続補正１】
【補正対象書類名】明細書
【補正対象項目名】全文
【補正方法】変更
【補正の内容】
【発明の詳細な説明】
【技術分野】
【０００１】
本発明は通信分野に関し、特に、情報伝送方法及びデバイスに関する。
【背景技術】
【０００２】
長期的な進化(ＬＴＥ：Ｌｏｎｇ  Ｔｅｒｍ  Ｅｖｏｌｕｔｉｏｎ)において、ユーザデバイス(ＵＥ：Ｕｓｅｒ  Ｅｑｕｉｐｍｅｎｔ)は、一定の時間にサービスを行わない場合、エアインターフェースのリソースやＵＥの消費電力を節約するために、アイドル状態に遷移する。ＵＥは、アイドル状態に遷移した後、サービス(発信サービスと着信サービスを含む)を再開する場合、ランダムアクセスメッセージをネットワークへ送信する必要があり、これによって、ＵＥはネットワークとの通信接続を確立することができる。ＵＥは、ネットワークにより送信されたランダムアクセスレスポンスを受信した後、ＵＥとネットワークとの間の接続を確立するための関連情報をネットワークへ送信する。
【０００３】
しかしながら、無線通信システムの進化に伴い、ランダムアクセスプロセスを開始するデバイスの間に、送信側のデバイスがより高速又は柔軟に受信側デバイスにアクセスするように、デバイスのアクセス制御機能をより向上させる必要がある。
【発明の概要】
【０００４】
これに鑑みて、本発明の実施例は、送信側のデバイスがより高速又は柔軟に受信側デバイスにアクセスするように、デバイスのアクセス制御機能を向上させることができる情報伝送方法及びデバイスを提供する。
【０００５】
第１形態は、情報伝送方法を提供し、当該方法は、第１デバイスが第２デバイスにランダムアクセスメッセージを送信することを含み、当該ランダムアクセスメッセージには当該第１デバイスの第１専用情報及び／又は当該第１デバイスの第２専用情報を指示するための指示情報が含まれ、当該第１専用情報と当該第２専用情報とは、当該第１デバイスと当該第２デバイスとの間の接続を確立するために用いられる。
【０００６】
選択可能で、当該第１デバイスが端末デバイスであり、当該第２デバイスが端末デバイス又はネットワークデバイスである。
【０００７】
選択可能で、当該ランダムアクセスメッセージは、第１デバイスがアイドル状態から接続状態に切り替わる１番目のメッセージであっても良いし、当該第１デバイスに処理しようとするデータがあることを指示するためのものであっても良く、つまり、当該ランダムアクセスメッセージは、ランダムアクセスプリアンブル情報が含まれるメッセージであっても良い。
【０００８】
選択可能で、当該第１デバイスの第１専用情報又は第２専用情報は、第１デバイスが第２デバイスとの接続を確立する関連情報であっても良いし、第１デバイスが第２デバイスとの接続を確立する関連構成情報であっても良い。当該第１専用情報や当該第２専用情報に含まれる情報は、同じであっても良いし、一部が同じであっても良いし、全く相違してもよく、本発明はこれを限定しない。
【０００９】
選択可能で、当該ランダムアクセスメッセージに含まれるものは、第１デバイス又は第２デバイスにより構成されたものであっても良いし、第１デバイスと第２デバイスとが予め確定されたのもであっても良い。
【００１０】
ランダムアクセスメッセージに第１デバイスの第１専用情報及び／又は第１デバイスの第２専用情報を指示するための指示情報を付けることで、アクセスプロセスを最適化し、第１デバイスがより高速又は柔軟に第２デバイスにアクセスするように、第１デバイスのアクセス制御機能を向上させることができる。
【００１１】
第１形態を結合し、第１形態の第１実現可能な形態において、当該ランダムアクセスメッセージに当該指示情報が含まれ、当該指示情報は、当該第２デバイスが予め設定された第１リソースにおいて当該第２専用情報を取得するように指示するために用いられ、当該情報伝送方法は、さらに、当該第１デバイスが当該第１リソースにおいて当該第２専用情報を送信することを含む。
【００１２】
選択可能で、第１デバイスと第２デバイスとは、当該第１デバイスの第２専用情報を伝送するための複数のリソースを予め確定してもよいし、第１デバイス又は第２デバイスは、当該第１デバイスの第２専用情報を伝送するための複数のリソースを予め構成してもよい。第１デバイスは、その中の１つのリソースを使用して当該第１専用情報及び／又は当該第２専用情報を伝送することができる。
【００１３】
第１形態又は上記の第１形態のいかなる実現形態を結合し、第１形態の第２実現可能な形態において、当該ランダムアクセスメッセージに当該指示情報が含まれ、当該指示情報は、当該第１デバイスが当該第２デバイスに当該第２専用情報を送信するように指示するために用いられ、当該情報伝送方法は、さらに、当該第１デバイスが予め設定された第２リソースにおいて当該第２専用情報を送信することを含む。
【００１４】
選択可能で、第１デバイスと第２デバイスとは、当該第１デバイスの第２専用情報を伝送するための複数のリソースを予め確定してもよいし、第１デバイス又は第２デバイスは、当該第１デバイスの第２専用情報を伝送するための複数のリソースを予め構成してもよい。第１デバイスが第２デバイスに第２専用情報の送信のみを指示し、第２デバイスが、受信した指示情報に基づいて、予め設定された１つのリソースにおいて当該第２専用情報を取得してもよい。
【００１５】
選択可能で、当該指示情報は、当該第２専用情報の送信位置又は送信リソースを示してもよいし、当該第１デバイスの衝突回避パラメータ等を示してもよい。
【００１６】
予め設定されたリソースにおいて第２専用情報を送信し及び／又はランダムアクセスメッセージに第１専用情報を付けることで、第１デバイスは、第２デバイスからのアップリンクリソース割り当てを待つ必要がなく、第１デバイスのアクセス遅延を低減させることができる。
【００１７】
第１形態又は上記の第１形態のいかなる実現形態を結合し、第１形態の第３実現可能な形態において、当該ランダムアクセスメッセージに当該第１専用情報及び当該指示情報が含まれ、当該第１専用情報と当該第２専用情報とは、相違する情報を含む。
【００１８】
第１形態又は上記の第１形態のいかなる実現形態を結合し、第１形態の第４実現可能な形態において、当該第１専用情報又は当該第２専用情報は、当該第１デバイスの識別子情報、当該第１デバイスが接続確立を要求する理由、当該第１デバイスが送信する第１シグナリングの大きさ及び／又はフォーマット、当該第１デバイスが登録する公衆移動通信網ＰＬＭＮの情報、当該第１デバイスのモビリティ管理エンティティＭＭＥの情報及び当該第１デバイスの非アクセス層ＮＡＳの情報のうちの少なくとも１つを含む。
【００１９】
当該第１専用情報又は当該第２専用情報は、第１デバイスが第２デバイスに送信する接続確立要求メッセージに含まれるメイン情報、例えば第１デバイスの識別子及び接続確立の理由等を含んでもよく、この場合、接続確立プロセスをある程度短縮させ、第１デバイスのアクセス遅延を低減させることができる。
【００２０】
当該第１専用情報又は当該第２専用情報は、第１デバイスが第２デバイスに送信する接続確立完了メッセージに含まれるメイン情報、例えば第１デバイスが登録する公衆移動通信網ＰＬＭＮの情報、第１デバイスのＭＭＥの情報及び第１デバイスのＮＡＳの情報などを含んでもよく、この場合、接続確立プロセスをある程度短縮させ、第１デバイスのアクセス遅延を低減させることができる。
【００２１】
当該第１専用情報又は当該第２専用情報は、第１シグナリングの大きさ及び／又はフォーマットを含んでもよく、この場合、第１デバイスがより柔軟に第２デバイスにアクセスすることができる。
【００２２】
選択可能で、当該ランダムアクセスメッセージにランダムアクセスプリアンブル情報がさらに含まれ、第１デバイスは、当該ランダムアクセスプリアンブル情報に連続する固定数の周波数領域リソース及び／又は時間領域リソースにおいて当該第１専用情報又は当該第２専用情報を送信する。
【００２３】
第１形態又は上記の第１形態のいかなる実現形態を結合し、第１形態の第５実現可能な形態において、当該第１専用情報又は当該第２専用情報は、第１シグナリングの大きさ及び／又はフォーマットを含み、当該第１シグナリングは、当該第１デバイスと当該第２デバイスとの間の接続確立を要求するために用いられ、当該情報伝送方法は、さらに、当該第２デバイスにより送信されたアップリンクリソース割り当て情報を受信することと、当該アップリンクリソース割り当て情報に基づいて当該第２デバイスに当該第１シグナリングを送信することとを含む。
【００２４】
第２形態は、情報伝送方法を提供し、当該ランダムアクセスメッセージには当該第１デバイスの第１専用情報及び／又は当該第１デバイスの第２専用情報を指示するための指示情報が含まれ、当該第１専用情報と当該第２専用情報とは、当該第１デバイスと当該第２デバイスとの間の接続を確立するために用いられる。
【００２５】
選択可能で、当該第１デバイスが端末デバイスであり、当該第２デバイスが端末デバイス又はネットワークデバイスである。
【００２６】
第１デバイスの第１専用情報及び／又は第１デバイスの第２専用情報を指示するための指示情報が含まれるランダムアクセスメッセージを受信することで、アクセスプロセスを最適化し、第１デバイスがより高速又は柔軟に第２デバイスにアクセスするように、第１デバイスのアクセス制御機能を向上させることができる。
【００２７】
第２形態を結合し、第２形態の第１実現可能な形態において、当該ランダムアクセスメッセージに当該指示情報が含まれ、当該指示情報は、当該第２デバイスが予め設定された第１リソースにおいて当該第２専用情報を取得するように指示するために用いられ、当該情報伝送方法は、さらに、当該第２デバイスが当該指示情報によって当該第１リソースにおいて当該第２専用情報を取得することを含む。
【００２８】
第２形態又は上記の第２形態のいかなる実現形態を結合し、第２形態の第２実現可能な形態において、当該ランダムアクセスメッセージに当該指示情報が含まれ、当該指示情報は、当該第１デバイスが当該第２デバイスに当該第２専用情報を送信するように指示するために用いられ、当該情報伝送方法は、さらに、当該第２デバイスが予め設定された第２リソースにおいて当該第２専用情報を取得することを含む。
【００２９】
第２形態又は上記の第２形態のいかなる実現形態を結合し、第２形態の第３実現可能な形態において、当該ランダムアクセスメッセージに当該第１専用情報が含まれ、当該情報伝送方法は、さらに、当該第２デバイスが当該ランダムアクセスメッセージから当該第１専用情報を取得することを含む。
【００３０】
第２形態又は上記の第２形態のいかなる実現形態を結合し、第２形態の第４実現可能な形態において、当該ランダムアクセスメッセージに当該第１専用情報及び当該指示情報が含まれ、当該第１専用情報と当該第２専用情報とは、相違する情報を含む。
【００３１】
予め設定されたリソースにおいて第２専用情報を送信し及び／又はランダムアクセスメッセージに第１専用情報を付けることで、第１デバイスは、第２デバイスからのアップリンクリソース割り当てを待つ必要がなく、第１デバイスのアクセス遅延を低減させることができる。
【００３２】
第２形態又は上記の第２形態のいかなる実現形態を結合し、第２形態の第５実現可能な形態において、当該第１専用情報又は当該第２専用情報は、当該第１デバイスの識別子情報、当該第１デバイスが接続確立を要求する理由、当該第１デバイスが送信する第１シグナリングの大きさ及び／又はフォーマット、当該第１デバイスが登録する公衆移動通信網ＰＬＭＮの情報、当該第１デバイスのモビリティ管理エンティティＭＭＥの情報及び当該第１デバイスの非アクセス層ＮＡＳの情報のうちの少なくとも１つを含む。
【００３３】
当該第１専用情報又は当該第２専用情報は、第１デバイスが第２デバイスに送信した接続確立要求メッセージに含まれるメイン情報、例えば第１デバイスの識別子及び接続確立理由等を含んでもよく、この場合、接続確立プロセスをある程度短縮させ、第１デバイスのアクセス遅延を低減させることができる。
【００３４】
当該第１専用情報又は当該第２専用情報は、第１デバイスが第２デバイスに送信した接続確立完了メッセージに含まれるメイン情報、例えば第１デバイスが登録する公衆移動通信網ＰＬＭＮの情報、第１デバイスのＭＭＥの情報及び第１デバイスのＮＡＳの情報等を含んでもよく、この場合、接続確立プロセスをある程度短縮させ、第１デバイスのアクセス遅延を低減させることができる。
【００３５】
当該第１専用情報又は当該第２専用情報は、第１シグナリングの大きさ及び／又はフォーマットを含んでもよく、この場合、第１デバイスがより柔軟に第２デバイスにアクセスすることができる。
【００３６】
第２形態又は上記の第２形態のいかなる実現形態を結合し、第２形態の第６実現可能な形態において、当該第１専用情報又は当該第２専用情報は、第１シグナリングの大きさ及び／又はフォーマットを含み、当該第１シグナリングは、当該第１デバイスと当該第２デバイスとの間の接続確立を要求するために用いられ、当該情報伝送方法は、さらに、当該第１シグナリングの大きさ及び／又はフォーマットに基づいて当該第１デバイスのアップリンクリソース割り当て情報を確定することと、当該第１デバイスに当該アップリンクリソース割り当て情報を送信することと、当該第１デバイスが当該アップリンクリソース割り当て情報に基づいて送信した当該第１シグナリングを受信することとを含む。
【００３７】
選択可能で、当該ランダムアクセスメッセージにランダムアクセスプリアンブル情報が含まれ、第２デバイスは、当該ランダムアクセスプリアンブル情報に連続する固定数の周波数領域リソース及び／又は時間領域リソースにおいて当該第１専用情報又は当該第２専用情報を受信する。
【００３８】
第３形態は、上記の第１形態又は第１形態のいかなる実現可能な形態の方法を実行するように構成されるデバイスを提供する。具体的に、当該デバイスは、上記の第１形態又は第１形態のいかなる実現可能な形態の方法を実行するように構成されるユニットを含む。  
【００３９】
第４形態は、上記の第２形態又は第２形態のいかなる実現可能な形態の方法を実行するように構成されるデバイスを提供する。具体的に、当該デバイスは、上記の第２形態又は第２形態のいかなる実現可能な形態の方法を実行するように構成されるユニットを含む。  
【００４０】
第５形態は、デバイスを提供し、当該デバイスは、メモリー、プロセッサ、送受信機及びバスシステムを含む。ここで、メモリー、プロセッサ及び送受信機がバスシステムにより接続され、当該メモリーが命令を記憶し、当該プロセッサが当該メモリーに記憶された命令を実行し、当該命令が実行される場合、当該プロセッサは、第１形態の方法を実行し、送受信機が入力したデータ及び情報を受信し、操作結果等のデータを出力するように制御する。
【００４１】
第６形態は、デバイスを提供し、当該デバイスは、メモリー、プロセッサ、送受信機及びバスシステムを含む。ここで、メモリー、プロセッサ及び送受信機がバスシステムにより接続され、当該メモリーが命令を記憶し、当該プロセッサが当該メモリーに記憶された命令を実行し、当該命令が実行される場合、当該プロセッサは、第２形態の方法を実行し、送受信機が入力したデータ及び情報を受信し、操作結果等のデータを出力するように制御する。
【００４２】
第７形態は、コンピュータ可読記憶媒体を提供し、前記コンピュータ可読記憶媒体にはプログラムが記憶され、前記プログラムには第１形態又は第１形態のいかなる実現可能な方法を実現するための命令が含まれる。
【００４３】
第８形態は、コンピュータ可読記憶媒体を提供し、前記コンピュータ可読記憶媒体にはプログラムが記憶され、前記プログラムには第２形態又は第２形態のいかなる実現可能な方法を実現するための命令が含まれる。
【００４４】
本発明において、デバイスの名前はデバイス構成を限定せず、実際に実施する場合、上記のデバイスが他の名前で示してもよい。各デバイスの機能が本発明に類似すればよく、本発明の請求項の保護範囲に属する。
【００４５】
本発明の形態や他の形態は、以下の実施例の記載により分かりやすくなる。
【図面の簡単な説明】
【００４６】
本開示の上記および他の特徴およびメリットは、添付の図面を参照して詳細に説明する例示的な実施形態により、より明らかになる。なお、以下の記載における図面はただ本発明の一部の実施例に過ぎず、当業者の場合、創造的な労働を付与しない前提で、これらの図面によって他の図面を得ることができる。
【図１】本発明の実施例の応用可能なシーンを示す図である。
【図２】端末とネットワークデバイスとの接続の確立プロセスを示す図である。
【図３】本発明の実施例における情報伝送方法のブロック図である。
【図４】図４(ａ)〜図４(ｃ)は本発明の実施例におけるランダムアクセスプリアンブル情報と専用情報の送信位置を示す図である。
【図５】本発明の実施例における情報伝送方法の他のブロック図である。
【図６】本発明の実施例における情報伝送デバイスのブロック図である。
【図７】本発明の実施例における情報伝送デバイスの他のブロック図である。
【図８】本発明の実施例における情報伝送デバイスの他のブロック図である。
【図９】本発明の実施例における情報伝送デバイスの他のブロック図である。
【発明を実施するための形態】
【００４７】
本発明の実施例の技術的な解決策をより明確に説明するため、以下に実施例又は従来技術の記述において必要な図面を簡単に説明するが、明らかに、以下に記載する図面は本発明のいくつかの実施例に過ぎず、当業者であれば、創造的な労力を要することなく、これらの図面に基づいて他の図面を得ることができる。
【００４８】
なお、本発明の実施例における技術的解決策は様々な通信システム、例えばグローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）汎用パケット無線サービス（ＧＰＲＳ：Ｇｅｎｅｒａ１  Ｐａｃｋｅｔ  Ｒａｄｉｏ  Ｓｅｒｖｉｃｅ）システム、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワールドワイドインターオペラビリティフォーマイクロウェーブアクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、及び将来の５Ｇ通信システムなどに応用されることができる。
【００４９】
特に、本発明の実施例の技術案は、非直交多重アクセス技術に基づく各通信システム、例えば散在符号多重接続（ＳＣＭＡ：Ｓｐａｒｓｅ  Ｃｏｄｅ  Ｍｕｌｔｉｐｌｅ  Ａｃｃｅｓｓ）システム、低密度シグネチャ（ＬＤＳ：Ｌｏｗ  Ｄｅｎｓｉｔｙ  Ｓｉｇｎａｔｕｒｅ）システム等などに応用されることができ、当然、ＳＣＭＡシステムやＬＤＳシステムが通信分野において他の名前と言われてもよく、さらに、本発明の実施例の技術案は、非直交多重アクセス技術を採用するマルチキャリア伝送システム、例えば非直交多重アクセス技術を採用する直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルターバンクマルチキャリア （ＦＢＭＣ：Ｆｉｌｔｅｒ  Ｂａｎｋ  Ｍｕｌｔｉ−Ｃａｒｒｉｅｒ）、通用周波数分割多重化（ＧＦＤＭ：Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルタ−ＯＦＤＭ（Ｆ−ＯＦＤＭ：Ｆｉｌｔｅｒｅｄ−ＯＦＤＭ）システムなどに応用されることができる。
【００５０】
本発明の実施例における端末デバイスは、ユーザデバイス（ＵＥ：Ｕｓｅｒ  Ｅｑｕｉｐｍｅｎｔ）、アクセス端末、ユーザユニット、ユーザステーション、移動ステーション、移動局、遠隔局、遠隔端末、移動デバイス、ユーザ端末、端末、無線通信デバイス、ユーザエージェント又はユーザ装置と指しても良い。アクセス端末はセルラー電話、無線電話、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレス・ローカル・ループ（ＷＬＬ：Ｗｉｒｅｌｅｓｓ  Ｌｏｃａｌ  Ｌｏｏｐ）ステーション、パーソナルデジタル処理（ＰＤＡ：Ｐｅｒｓｏｎａｌ  Ｄｉｇｉｔａｌ  Ａｓｓｉｓｔａｎｔ）、無線通信機能を有する携帯デバイス、計算デバイス又は無線変調復調器に接続するその他のデバイス、車載デバイス、ウェアラブルデバイス、および将来の５Ｇネットワークにおける端末デバイス、又は将来進化型公衆移動通信網（ＰＬＭＮ：Ｐｕｂｌｉｃ  Ｌａｎｄ  Ｍｏｂｉｌｅ  Ｎｅｔｗｏｒｋ）おける端末デバイスなどであっても良い。
【００５１】
本発明の実施例におけるネットワークデバイスは端末デバイスと通信するためのデバイスであっても良く、例えばＧＳＭシステム又はＣＤＭＡにおける基地局（ＢＴＳ：Ｂａｓｅ  Ｔｒａｎｓｃｅｉｖｅｒ  Ｓｔａｔｉｏｎ）、ＷＣＤＭＡシステムにおける基地局（ＮＢ：ＮｏｄｅＢ）、ＬＴＥシステムにおける進化型基地局（ｅＮＢ又はｅＮｏｄｅＢ：Ｅｖｏｌｕｔｉｏｎａｌ  ＮｏｄｅＢ）であってよく、又は該基地局は中継局、アクセスポイント、車載デバイス、ウェアラブルデバイス及び将来の５Ｇネットワークにおけるネットワーク側デバイス、又は将来進化型公衆移動通信網ＰＬＭＮおけるネットワークデバイスなどであっても良い。
【００５２】
図１は本発明の応用シーンを示す図である。図１の通信システムが端末デバイス１０及びネットワークデバイス２０を含む。ネットワークデバイス２０が端末デバイス１０に通信サービスやコアネットワークへのアクセスを提供し、端末デバイス１０が、ネットワークデバイス２０からの同期信号、放送信号等を検索してネットワークにアクセスし、ネットワークとの通信を行う。図１に示す矢印は、端末デバイス１０とネットワークデバイス２０との間のセルラネットワークリンクにより行うアップ/ダウンリンク伝送を示している。
【００５３】
ＬＴＥシステムにおいて、端末は、電源を入れてからＰＬＭＮ選択、セル選択及びセル再選択等という一連のプロセスでセル常駐を行う。端末は、セル常駐を行ってからアイドル状態に遷移し、即ち、この時、ネットワークの登録を完了したが、ネットワークとの接続を確立せず、リアルタイムのデータ伝送を行うことができない。端末は、アイドル状態に遷移した後、サービス(発信サービスと着信サービスを含む)を開始する必要がある場合、システム情報内の構成情報に基づいて接続確立プロセスを開始する。
【００５４】
分かりやすくするために、図２を参照し接続確立プロセスを説明する。図２に示す方法は、ステップ１０１〜１０５を含む。
【００５５】
１０１において、端末がランダムアクセスプリアンブル情報を送信し、それにプリアンブルシリアルコードｐｒｅａｍｂｌｅが含まれる。即ち、端末は、基地局により構成されたｐｒｅａｍｂｌｅのうちの１つをランダム選択し、基地局に送信する。
【００５６】
１０２において、基地局は、ランダムアクセスプリアンブル情報を受信してから、端末にランダムアクセスレスポンスを送信し、ランダムアクセスレスポンスにアップリンクタイミングアドバンス(ＴＡ：Ｔｉｍｉｎｇ  Ａｄｖａｎｃｅ)、セル無線ネットワーク一時識別子(Ｃ−ＲＮTI：Ｃｅｌｌ  Ｒａｄｉｏ  Ｎｅｔｗｏｒｋ  Ｔｅｍｐｏｒａｒｙ  Ｉｄｅｎｔｉｆｉｅｒ)及びアップリンクリソース割り当てが含まれる。
【００５７】
１０３において、端末は、対応するアップリンクリソース割り当てに基づいて、基地局に接続確立要求を送信し、この中に端末の識別子、接続確立理由、例えば、緊急発信、優先度の高いアクセス、着信アクセス、発信シグナリング、発信データ、低遅延敏感度、音声サービス等のメイン情報が含まれる。
【００５８】
１０４において、基地局は、端末により送信された接続確立要求を複製し当該接続確立要求で端末に返信し、競合解消を行う。
【００５９】
１０５において、基地局が端末に接続確立メッセージを送信し、当該メッセージが専用リソース構成を含み、端末の接続状態に遷移する前のリソースを構成する。
【００６０】
１０６において、端末が接続確立完了メッセージを返信し、この中に端末が登録するＰＬＭＮの情報、端末のＭＭＥの情報及び端末の非アクセス層(Ｎｏｎ−Ａｃｃｅｓｓ  Ｓｔｒａｔｕｍ)情報が含まれる。
【００６１】
端末のアクセス制御機能をより向上させるために、本発明の実施例は、最適化された接続確立プロセスを提供する。
【００６２】
なお、本発明の実施例は、５Ｇ通信システムへの応用を例として説明するが、これに限定しない。また、本明細書に記載される「システム」及び「ネットワーク」という単語は交換可能に使用される。本明細書に記載される「及び／又は」は、関連対象の関連関係を説明するものに限られ、以下の３つの関係を示す。例えば、Ａ及び／又はＢは、Ａが単独存在すること、ＡとＢが同時に存在すること、及びＢが単独存在することそれぞれ示す。また、本明細書に記載される「／」は、通常に、前後の関連対象の「又は」の関係を示す。
【００６３】
図３は本発明の実施例の情報伝送方法２００のブロック図を示す。図３に示すように、当該方法２００は、Ｓ２１０を含み、
Ｓ２１０において、第１デバイスが第２デバイスにランダムアクセスメッセージを送信し、当該ランダムアクセスメッセージには当該第１デバイスの第１専用情報及び／又は当該第１デバイスの第２専用情報を指示するための指示情報が含まれ、当該第１専用情報と当該第２専用情報とは、当該第１デバイスと当該第２デバイスとの間の接続確立を要求するために用いられる。
【００６４】
なお、本発明の技術案は、無線通信技術シーンに応用されても良いし、デバイスツーデバイス技術(Ｄ２Ｄ：Ｄｅｖｉｃｅ ｔｏ Ｄｅｖｉｃｅ)シーンに応用されても良く、本発明の実施例の第１デバイスが端末デバイス、第２デバイスがネットワークデバイス又は端末デバイスであっても良い。当該第２デバイスが中継デバイス等であっても良い。本発明はこれを限定しない。説明しやすくするために、以下の実施例は、第１デバイスを端末デバイスとし、第２デバイスをネットワークデバイスとして説明する。
【００６５】
具体的に、端末は、電源を入れてから、選定されたＰＬＭＮから１つの適当なセルを選択して常駐し、あるセルに常駐してからシステムメッセージ及びセルブロードキャスト情報、例えばページングを受信することができる。通常、端末は、初めに電源を入れて登録プロセスを実行する必要があり、１つの形態として、認証を相互に行い、もう１つの形態として、ネットワークデバイスが端末のいくつかの基本情報を取得する。その後、端末がずっとアイドル状態にある。端末がアイドル状態から接続状態に切り替わる場合、ネットワークデバイスにランダムアクセスを開始する必要があり、ランダムアクセスが完了した場合のみ、端末がネットワークデバイスとデータの送受信を行うことができる。この時、端末は、端末デバイスにランダム選択されたランダムアクセスプリアンブル又はネットワークデバイスにより割り当てたランダムアクセスプリアンブルを送信し、これによって、アップリンクリソース又はアップリンクＴＡ同期などをネットワークデバイスに要求する必要がある。端末は、当該プリアンブルを送信するメッセージ内に端末のいくつかの専用情報又は当該専用情報の構成を示すための指示情報を付加することができ、当該専用情報は、例えば、当該端末の識別子、当該端末の接続要求の理由等であっても良い。
【００６６】
そして、本発明の実施例における情報伝送方法は、ランダムアクセスメッセージに第１デバイスの第１専用情報及び／又は第１デバイスの第２専用情報を指示するための指示情報を付けることで、アクセスプロセスを最適化し、第１デバイスがより高速又は柔軟に第２デバイスにアクセスするように、第１デバイスのアクセス制御機能を向上させることができる。
【００６７】
なお、本発明の実施例におけるランダムアクセスメッセージは、第１デバイスがアイドル状態から接続状態に切り替わるメッセージであっても良いし、当該第１デバイスがサービスを行うように指示するためのものであっても良く、つまり、当該ランダムアクセスメッセージは、ランダムアクセスプリアンブル情報が含まれるメッセージであっても良い。本発明はこれを限定しない。
【００６８】
なお、当該第１専用情報と当該第２専用情報に含まれる情報とは、同じであっても良いし、一部が同じであっても良いし、全く相違してもよい。本発明はこれを限定しない。
【００６９】
選択可能で、当該端末の第１専用情報又は第２専用情報は、端末がネットワークデバイスとの接続を確立する関連情報であっても良いし、端末がネットワークデバイスとの接続を確立する関連構成情報であっても良い。例えば、端末の初期識別子(一時モバイルユーザ識別子又はランダム数など)、端末の接続確立理由(緊急発信、優先度の高いアクセス、着信アクセス、発信シグナリング、発信データ、低遅延敏感度及び音声サービス等を含む)であっても良いし、端末がその後に送信したシグナリングの大きさ及び／又はフォーマット等であっても良いし、端末が送信する必要があるＰＬＭＮ情報、ＭＭＥの情報及びＮＡＳの情報であっても良い。本発明は、当該第１専用情報及び／又は第２専用情報に含まれるものを限定しない。
【００７０】
具体的に、当該第１専用情報又は当該第２専用情報は、端末がネットワークデバイスに送信した接続確立要求メッセージに含まれるメイン情報、例えば端末の識別子及び接続確立の理由等を含む場合、接続確立プロセスをある程度短縮させ、端末のアクセス遅延を低減させることができる。当該第１専用情報又は当該第２専用情報は、端末がネットワークデバイスに送信した接続確立完了メッセージに含まれるメイン情報、例えば端末が登録する公衆移動通信網ＰＬＭＮの情報、端末のＭＭＥの情報及び端末のＮＡＳの情報などを含む場合、接続確立プロセスをある程度短縮させ、端末のアクセス遅延を低減させることができる。当該第１専用情報又は当該第２専用情報は、第１シグナリングの大きさ及び／又はフォーマットを含む場合、端末がより柔軟にネットワークデバイスにアクセスすることができる。
【００７１】
選択可能で、当該ランダムアクセスメッセージに含まれるものは、ネットワークデバイスにより確定されても良いし、端末とネットワークデバイスとが予め交渉して確定されてもよい。
【００７２】
選択可能で、本発明の実施例において、当該ランダムアクセスメッセージに当該指示情報が含まれ、当該指示情報は、当該ネットワークデバイスが予め設定された第１リソースにおいて当該第２専用情報を取得するように指示するために用いられ、当該情報伝送方法は、さらに、当該第１リソースにおいて当該第２専用情報を送信することを含む。
【００７３】
選択可能で、本発明の他の実施例において、当該ランダムアクセスメッセージに当該指示情報が含まれ、当該指示情報は、当該端末が当該ネットワークデバイスに当該第２専用情報を送信するように指示するために用いられ、当該情報伝送方法は、さらに、当該端末が予め設定された第２リソースにおいて当該第２専用情報を送信することを含む。
【００７４】
具体的に、端末デバイスは、ネットワークデバイスと当該第２専用情報を伝送するための複数のリソースを予め確定し、確定されたリソースからあるリソースを選択して当該第２専用情報を伝送し、ネットワークデバイスが端末の選択したリソースにおいて当該第２専用情報を取得するように指示してもよい。端末デバイスは、ネットワークデバイスと予め当該第２専用情報を伝送するための１つのリソースを確定し、端末が当該第２専用情報を送信したことをネットワークデバイスに指示してもよく、この場合、ネットワークデバイスは、予め設定されたリソースにおいて当該第２専用情報を取得することができる。また、端末がネットワークデバイスと予め合意し、当該ランダムアクセスメッセージにランダムアクセスプリアンブル情報が含まれる場合、ネットワークデバイスが、使用したランダムアクセスプリアンブルに基づいて予め設定されたリソースにおいて専用情報を取得し又はネットワークデバイスが予め設定されたリソースにおいて専用情報が存在するかどうかを監視している。本発明は、ネットワークデバイスがどのように第２専用情報を取得するように指示する方法を限定しない。
【００７５】
選択可能で、本発明の他の実施例において、当該ランダムアクセスメッセージに当該第１専用情報及び当該指示情報が含まれ、当該第１専用情報と当該第２専用情報とは、相違する情報を含む。
【００７６】
予め設定されたリソースにおいて第１専用情報を送信し及び／又はランダムアクセスメッセージに第２専用情報を付けることで、第１デバイスは、第２デバイスからのアップリンクリソース割り当てを待つ必要がなく、第１デバイスのアクセス遅延を低減させることができる
なお、本発明の実施例において、当該第１リソース及び／又は当該第２リソースは、時間領域のリソースであっても良いし、周波数領域のリソースであっても良く、本発明はこれを限定しない。
【００７７】
以下、図４(ａ)〜図４(ｃ)を参照し、本発明の実施例の専用情報、ランダムアクセスプリアンブル情報及びランダムアクセスメッセージの各種の位置関係を説明する。
【００７８】
図４(ａ)に示すように、端末とネットワークデバイスとが予め確定した又はネットワークデバイスが予め構成した当該ランダムアクセスプリアンブル情報と当該専用情報とは、同一の時間領域ユニットの連続して相違する周波数領域リソースに位置してもよい。
【００７９】
図４(ｂ)に示すように、端末とネットワークデバイスとが確定した又はネットワークデバイスが予め構成した当該指示情報と当該専用情報とは、連続して相違する時間領域リソースに位置してもよい。
【００８０】
図４(ｃ)に示すように、端末とネットワークデバイスとが確定した又はネットワークデバイスが予め構成した当該ランダムアクセスプリアンブル情報と当該第１専用情報とは、同一の時間領域ユニットの連続して相違する周波数領域リソースに位置してもよく、端末とネットワークデバイスとが予め確定した又はネットワークデバイスが予め構成した当該ランダムプリアンブルアクセス情報と当該第２専用情報とは、連続して相違する時間領域リソースに位置してもよい。
【００８１】
なお、本発明の実施例において、専用情報とランダムアクセスプリアンブル情報及び／又は指示情報を送信するリソースは、周波数領域リソース又は時間領域リソースにおいて連続しなくてもよく、上記の実施例は、例示的なものであり、上記の実施例を組み合わせてもよく、本発明はこれを限定しない。
【００８２】
さらに、当該専用情報に端末のその後に送信した第１シグナリングの大きさ及び／又はフォーマットが含まれる場合、当該第１シグナリングは、接続確立に関連するシグナリングであっても良く、具体的に、接続確立要求メッセージであっても良く、ネットワークデバイスは、当該第１シグナリングの大きさ及び／又はフォーマットを受信した後、当該端末にアップリンクリソースを割り当て、当該アップリンク割り当てリソース情報を当該端末に送信してもよく、この場合、当該端末は、さらに、ネットワークデバイスに当該接続確立要求メッセージを送信する。
【００８３】
具体的に、当該ランダムアクセスメッセージに含まれる専用情報の内容に基づいて以降のステップを確定してもよい。例えば、当該専用情報には端末の接続確立に関連する上記の全ての情報が含まれる場合、端末とネットワークデバイスとが接続確立要求の送受信、例えば、接続確立要求メッセージ、接続確立メッセージ及び接続確立完了メッセージ等の送受信を行わなくてもよい。端末は、ランダムアクセスレスポンスメッセージにおいて、ネットワークデバイスにより当該端末のために構成された各種の情報を付加してもよい。当該専用情報が伝送する第１シグナリングの大きさ及びフォーマットのみを含む場合、ネットワークデバイスは、その後に送信した第１シグナリングの大きさ及びフォーマットを分かっているが、端末デバイスは、依然としてネットワークデバイスとの接続確立要求の送受信を行う必要がある。当該専用情報が接続確立要求メッセージ内の内容のみを含む場合、端末は、以降のネットワークデバイスとの接続確立要求の送受信を行う過程において接続確立要求メッセージを省略してもよい。なお、専用情報に含まれる内容に応じて、端末のネットワークデバイスへのアクセスプロセスが相違する可能性があり、端末がより高速又は柔軟にネットワークデバイスへアクセスする技術案は、本発明の実施例に含まれ、簡潔にするために、ここでは説明を省略する。
【００８４】
図５は本発明の実施例における情報伝送方法３００のブロック図である。図５に示すように、当該方法３００は、Ｓ３１０を含む。
【００８５】
Ｓ３１０において、第２デバイスが第１デバイスにより送信されたランダムアクセスメッセージを受信し、当該ランダムアクセスメッセージには当該第１デバイスの第１専用情報及び／又は当該第１デバイスの第２専用情報を指示するための指示情報が含まれ、当該第１専用情報と当該第２専用情報とは、当該第１デバイスと当該第２デバイスとの間の接続確立を要求するために用いられる。
【００８６】
具体的に、端末は、ネットワークデバイスにデータ送信し又はネットワークデバイスからのシグナリング又はデータを受信する場合、つまり、アイドル状態から接続状態に切り替わる場合、初期アクセス過程を行う必要があり、即ち、ネットワークデバイスにｐｒｅａｍｂｌｅコードを送信する必要がある。ネットワークデバイスは、端末により送信されたｐｒｅａｍｂｌｅコードを検定した場合、ダウンリンク共有チャネルにおいてレスポンスを送信し、当該レスポンスに検定されたプリアンブルシーケンスのインデックス番号が含まれてもよく、アップリンク同期の時間調整情報、初期アップリンクリソースに割り当て及び一時のＣ−ＲＮＴＩに用いられる。ネットワークデバイスは、第１専用情報及び／又は第２専用情報を指示する指示情報が含まれる当該ランダムアクセスメッセージを受信した場合、当該ランダムアクセスメッセージから当該第１専用情報を取得し及び／又は予め設定された第１リソースにおいて当該第２専用情報を取得することができる。
【００８７】
そして、本発明の実施例における情報伝送方法は、第１デバイスの第１専用情報及び／又は当該第１デバイスの第２専用情報を指示するための指示情報が含まれるランダムアクセスメッセージを受信することで、アクセスプロセスを最適化し、ネットワークのアクセス制御機能を向上させ、第１デバイスがより高速又は柔軟に第２デバイスにアクセスすることができる。
【００８８】
なお、本発明の実施例におけるランダムアクセスメッセージは、端末がアイドル状態から接続状態に切り替わるメッセージであっても良いし、当該端末がサービスを行うように指示するためのものであっても良く、つまり、当該ランダムアクセスメッセージは、ランダムアクセスプリアンブル情報が含まれるメッセージであっても良い。本発明はこれを限定しない。
【００８９】
なお、当該第１専用情報と当該第２専用情報に含まれる情報とは、同じであっても良いし、一部が同じであっても良いし、全く相違してもよい。本発明はこれを限定しない。
【００９０】
選択可能で、当該第１専用情報又は当該第２専用情報は、当該端末の識別子情報、当該端末が接続確立を要求する理由、当該端末が送信する第１シグナリングの大きさ及び／又はフォーマット、当該端末が登録する公衆移動通信網ＰＬＭＮの情報、当該端末のモビリティ管理エンティティＭＭＥの情報及び当該端末の非アクセス層ＮＡＳの情報のうちの少なくとも１つを含む。
【００９１】
本発明の１つの実施例として、選択可能で、当該指示情報は、当該ネットワークデバイスが予め設定された第１リソースにおいて当該第２専用情報を取得するように指示するために用いられる。具体的に、端末デバイスは、ネットワークデバイスと予め交渉して当該第２専用情報を伝送るための複数のリソースを確定し、交渉して確定された複数のリソースからあるリソースを選択して当該第２専用情報を伝送し、ネットワークデバイスが端末により選択された第１リソースにおいて当該第２専用情報を取得するように指示する。ネットワークデバイスは、当該指示情報を受信した後、当該指示情報に指示する第１リソースにおいて当該第２専用情報を取得する。
【００９２】
本発明の他の１つの実施例として、選択可能で、当該指示情報は、当該端末がネットワークデバイスに当該第２専用情報を送信するように指示するために用いられる。具体的に、端末デバイスがネットワークデバイスと予め交渉して当該第２専用情報を伝送するための１つのリソースを確定し、ネットワークデバイスが当該指示情報を受信する場合、予め設定されたリソースにおいて当該第２専用情報を取得し、または、端末がネットワークデバイスと予め交渉して、当該ランダムアクセスメッセージにランダムアクセスプリアンブル情報が含まれる場合、ネットワークデバイスが予め設定されたリソースにおいて専用情報を取得し、又はネットワークデバイスが予め設定されたリソースにおいて当該第２専用情報が存在するかどうかをずっと監視している。本発明は、ネットワークデバイスがどのように第２専用情報を取得するように指示する方法を限定しない。
【００９３】
本発明の他の実施例として、選択可能で、当該ランダムアクセスメッセージに当該第１専用情報及び当該指示情報が含まれ、当該第１専用情報と当該第２専用情報とは、相違する情報を含む。
【００９４】
さらに、当該方法は、さらに、当該第１シグナリングの大きさ及び／又はフォーマットに基づいて当該端末のアップリンクリソース割り当て情報を確定することと、当該端末に当該アップリンクリソース割り当て情報を送信することと、当該端末が当該アップリンクリソース割り当て情報に基づいて送信した当該第１シグナリングを受信することとを含む。
【００９５】
具体的に、当該ランダムアクセスメッセージに含まれる専用情報の内容に基づいて以降のステップを確定してもよい。例えば、当該専用情報に端末の接続確立に関連する上記の全ての情報が含まれる場合、端末とネットワークデバイスとは接続確立要求の送受信、例えば、接続確立要求メッセージ、接続確立メッセージ及び接続確立完了メッセージ等の送受信を行わなくてもよい。端末は、ランダムアクセスレスポンスメッセージにおいて、ネットワークデバイスにより当該端末のために構成された各種の情報を付加してもよい。当該専用情報が伝送する第１シグナリングの大きさ及びフォーマットのみを含む場合、ネットワークデバイスは、その後に送信した第１シグナリングの大きさ及びフォーマットを分かっているが、端末デバイスは、依然としてネットワークデバイスとの接続確立要求の送受信を行う必要がある。当該専用情報が接続確立要求メッセージ内の内容のみを含む場合、端末は、以降のネットワークデバイスと接続確立要求の送受信を行う過程において接続確立要求メッセージを省略してもよい。なお、専用情報の内容に応じて、端末のネットワークデバイスへのアクセスプロセスが相違する可能性があり、端末がより高速又は柔軟にネットワークデバイスへアクセスする技術案は、本発明の実施例に含まれ、簡潔にするために、ここでは説明を省略する。
【００９６】
なお、上記の各方法実施例において、通常に、ネットワークデバイスが基地局であり、端末がユーザデバイスである。
【００９７】
なお、第２デバイス側で説明する第２デバイスと第１デバイスとの関連処理、特性、機能等について、第１デバイスの関連特性や機能に対応し、簡潔にするために、ここでは説明を省略する。
【００９８】
なお、本発明の各実施例において、上記各過程の番号が実行順番の前後を意味せず、各過程の実行順番は、その機能及び組み込み論理に決定され、本発明の実施例の実行過程を限定しない。
【００９９】
以上、図３〜図５を参照し、本発明の実施例における情報伝送方法を説明し、以下、図６〜図９を参照し、本発明の実施例における情報伝送デバイスを説明し、方法による実施例に記載された技術的特徴は、以下のデバイスによる実施例に応用される。
【０１００】
図６は本発明の実施例における情報伝送デバイス４００のブロック図を示す。図６に示すように、当該デバイス４００が第１デバイスであり、送信ユニット４１０を含む。
【０１０１】
送信ユニット４１０は、第２デバイスにランダムアクセスメッセージを送信するように構成され、当該ランダムアクセスメッセージには当該第１デバイス４００の第１専用情報及び／又は当該第１デバイス４００の第２専用情報を指示するための指示情報が含まれ、当該第１専用情報と当該第２専用情報とは、当該第１デバイス４００と当該第２デバイスとの間の接続確立を要求するために用いられる。
【０１０２】
本発明の技術案は、デバイス４００のアイドル状態から接続状態への遷移シーンに応用され、他のシーンにも応用され、本発明の実施例と同じ思想を有する技術案は、本発明の実施例の拡張したものに属する。
【０１０３】
そして、本発明の実施例における情報伝送デバイスは、ランダムアクセスメッセージに第１デバイスの第１専用情報及び／又は第１デバイスの第２専用情報を指示するための指示情報を付けることで、アクセスプロセスを最適化し、第１デバイスがより高速又は柔軟に第２デバイスにアクセスするように、第１デバイスのアクセス制御機能を向上させることができる。
【０１０４】
選択可能で、本発明の実施例において、当該ランダムアクセスメッセージに当該指示情報が含まれ、当該指示情報は、当該第２デバイスが予め設定された第１リソースにおいて当該第２専用情報を取得するように指示するために用いられ、当該送信ユニット４１０は、さらに、
当該第１リソースにおいて当該第２専用情報を送信するように構成される。
【０１０５】
選択可能で、本発明の実施例において、当該ランダムアクセスメッセージに当該指示情報が含まれ、当該指示情報は、当該第１デバイスが当該第２デバイスに当該第２専用情報を送信するように指示するために用いられ、当該送信ユニット４１０は、さらに、
予め設定された第２リソースにおいて当該第２専用情報を送信するように構成される。  
【０１０６】
選択可能で、本発明の実施例において、当該ランダムアクセスメッセージに当該第１専用情報及び当該指示情報が含まれ、当該第１専用情報と当該第２専用情報とは、相違する情報を含む。
【０１０７】
選択可能で、本発明の実施例において、当該第１専用情報又は当該第２専用情報は、当該第１デバイスの識別子情報、当該第１デバイスが接続確立を要求する理由、当該第１デバイスが送信する第１シグナリングの大きさ及び／又はフォーマット、当該第１デバイスが登録する公衆移動通信網ＰＬＭＮの情報、当該第１デバイスのモビリティ管理エンティティＭＭＥの情報及び当該第１デバイスの非アクセス層ＮＡＳの情報のうちの少なくとも１つを含む。
【０１０８】
選択可能で、本発明の実施例において、当該第１専用情報又は当該第２専用情報は、第１シグナリングの大きさ及び／又はフォーマットを含み、当該第１シグナリングは、当該第１デバイスと当該第２デバイスとの間の接続確立を要求するために用いられ、当該デバイス４００は、さらに、受信ユニット４２０を含み、
受信ユニット４２０は、当該第２デバイスにより送信されたアップリンクリソース割り当て情報を受信するように構成され、
当該送信ユニット４１０は、さらに、
当該アップリンクリソース割り当て情報に基づいて当該第２デバイスに当該第１シグナリングを送信するように構成される。
【０１０９】
選択可能で、当該デバイス４００が端末デバイスであり、当該第２デバイスがネットワークデバイス又は端末デバイスである。
【０１１０】
なお、本発明の実施例におけるデバイス４００が本発明の実施例における情報伝送方法２００の第１デバイスに対応し、さらに、デバイス４００の各モジュールの上記及び他の操作及び／又は機能が図３及び図４の各方法のプロセスを実現し、簡潔にするために、ここでは説明を省略する。
【０１１１】
図７は本発明の実施例における情報伝送デバイス５００のブロック図を示す。図７に示すように、当該デバイス５００は、第２デバイスであり、受信ユニット５１０を含む。
【０１１２】
受信ユニット５１０は、第１デバイスにより送信されたランダムアクセスメッセージを受信するように構成され、前記ランダムアクセスメッセージには前記第１デバイスの第１専用情報及び／又は前記第１デバイスの第２専用情報を指示するための指示情報が含まれ、前記第１専用情報と前記第２専用情報とは、前記第１デバイスと前記第２デバイスとの間の接続確立を要求するために用いられる。
【０１１３】
そして、本発明の実施例における情報伝送デバイスは、第１デバイスの第１専用情報及び／又は当該第１デバイスの第２専用情報を指示するための指示情報が含まれるランダムアクセスメッセージを受信することで、アクセスプロセスを最適化し、第１デバイスアクセス制御機能をさらに向上させ、第１デバイスがより高速又は柔軟に第２デバイスにアクセスすることができる。
【０１１４】
選択可能で、本発明の実施例において、当該ランダムアクセスメッセージに当該指示情報が含まれ、当該指示情報は、当該第２デバイスが予め設定された第１リソースにおいて当該第２専用情報を取得するように指示するために用いられ、当該デバイス５００は、さらに、第１取得ユニット５２０を含み、
第１取得ユニット５２０は、当該指示情報に基づいて当該第１リソースにおいて当該第２専用情報を取得するように構成される。
【０１１５】
選択可能で、本発明の実施例において、当該ランダムアクセスメッセージに当該指示情報が含まれ、当該指示情報は、当該第１デバイスが当該第２デバイスに当該第２専用情報を送信するように指示するために用いられ、当該デバイス５００は、さらに、第２取得ユニット５３０を含み、
第２取得ユニット５３０は、予め設定された第２リソースにおいて当該第２専用情報を取得するように構成される。
【０１１６】
選択可能で、本発明の実施例において、当該ランダムアクセスメッセージに当該第１専用情報が含まれ、当該デバイス５００は、さらに、第３取得ユニット５４０を含み、
第３取得ユニット５４０は、当該ランダムアクセスメッセージから当該第１専用情報を取得するように構成される。
【０１１７】
選択可能で、本発明の実施例において、当該ランダムアクセスメッセージに当該第１専用情報と当該指示情報が含まれ、当該第１専用情報と当該第２専用情報とは、相違する情報を含む。
【０１１８】
選択可能で、本発明の実施例において、当該第１専用情報又は当該第２専用情報は、当該第１デバイスの識別子情報、当該第１デバイスの接続確立要求の理由、当該第１デバイスが送信する第１シグナリングの大きさ及び／又はフォーマット、当該第１デバイスが登録する公衆移動通信網ネットワークＰＬＭＮの情報、当該第１デバイスのモビリティ管理エンティティＭＭＥの情報及び当該第１デバイスの非アクセス層ＮＡＳの情報のうちの少なくとも１つを含む。
【０１１９】
選択可能で、本発明の実施例において、当該第１専用情報又は当該第２専用情報は、第１シグナリングの大きさ及び／又はフォーマットを含み、当該第１シグナリングは、当該第１デバイスと当該第２デバイスとの間の接続確立を要求するために用いられ、
当該デバイス５００は、さらに、確定ユニット５５０を含み、
確定ユニット５５０は、当該第１シグナリングの大きさ及びフォーマットに基づいて、当該第１デバイスのアップリンクリソース割り当て情報を確定するように構成され、
送信ユニット５６０は、当該第１デバイスに当該アップリンクリソース割り当て情報を送信するように構成され、
当該受信ユニット５１０は、さらに、
当該第１デバイスが当該アップリンクリソース割り当て情報に基づいて送信した当該第１シグナリングを受信するように構成される。
【０１２０】
選択可能で、当該第１デバイスが端末デバイスであり、当該デバイス５００がネットワークデバイス又は端末デバイスである。
【０１２１】
なお、本発明の実施例におけるデバイス５００が本発明の実施例における情報伝送方法３００の第２デバイスに対応し、さらに、デバイス５００の各モジュールの上記及び他の操作及び／又は機能が図４及び図５の各方法のプロセスを実現し、簡潔にするために、ここでは説明を省略する。
【０１２２】
なお、上記の実施例におけるデバイスは、その機能を実現する場合、上記の各機能ユニットによって分け説明し、実際に、要求に応じて上記の機能を割り当て異なる機能ユニットにより実行してもよく、即ち、デバイスの内部構成を異なる機能ユニットに分けて、上記の部分又はすべての機能を実現する。また、上記の実施例におけるデバイスと方法による実施例とは同一の思想に属し、実現過程が方法による実施例を参照し、ここでは説明を省略する。
【０１２３】
図８は本発明の実施例におけるデバイス１０のブロック図を示す。図８に示すデバイス１０は、メモリー１１、プロセッサ１２、送受信機１３及びバスシステム１４を含む。ここで、メモリー１１、プロセッサ１２及び送受信機１３は、バスシステム１４により接続され、当該メモリー１１は命令を記憶し、当該プロセッサ１２は、当該メモリー１１に記憶された命令を実行して、送受信機１３が入力されたデータ及び情報を受信し、操作結果等のデータを出力する。
【０１２４】
プロセッサ１２は、当該送受信機１３で第２デバイスにランダムアクセスメッセージを送信し、当該ランダムアクセスメッセージにデバイス１０の第１専用情報及び／又は用当該デバイス１０の第２専用情報を指示するための指示情報が含まれ、当該第１専用情報と当該第２専用情報とは、当該デバイス１０と当該第２デバイスとの間の接続確立を要求するために用いられる。
【０１２５】
なお、本発明の実施例において、当該プロセッサ１２は、中央処理装置（ＣＰＵ：Ｃｅｎｔｒａｌ  Ｐｒｏｃｅｓｓｉｎｇ  Ｕｎｉｔ）、マイクロプロセッサ、応用専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、又は１つ以上の集積回路を利用して、関連のプログラムを実行し、本発明の実施例における技術案を実現する。
【０１２６】
当該メモリー１１は、読み取り専用メモリー及びランダムアクセスメモリーを含み、プロセッサ１２に命令及びデータを提供する。プロセッサ１２の一部は、不揮発性ランダムアクセスメモリーを含む。例えば、プロセッサ１２は、デバイスタイプの情報を記憶することができる。
【０１２７】
当該バスシステム１４はデータバス、電源バス、制御バス及び状態信号バス等を含む。明確にするために、図にバスシステム１４で各バスを示す。
【０１２８】
実際に、上記の方法の各ステップは、プロセッサ１２のハードウェアの集積ロジック回路又はソフトウェアの命令により実行することができる。本発明の実施例における無線通信の方法を参照し、ハードウェアであるプロセッサにより実行し、又は用プロセッサのハードウェアとソフトウェアとの組み合わせで実行する。ソフトウェアモジュールがランダムメモリー、フラッシュメモリ、読み取り専用メモリー、プログラマブル読み取り専用メモリー又は電気的に消去可能なプログラマブルメモリー、レジスター等の本分野に知られる記憶媒体に位置する。当該記憶媒体がメモリー１１に位置し、プロセッサ１２は、メモリー１１内の情報を読み、そのハードウェアにより上記の方法のステップを実行する。簡潔にするために、ここでは説明を省略する。
【０１２９】
選択可能で、１つの実施例として、当該ランダムアクセスメッセージに当該指示情報が含まれ、当該指示情報は、当該第２デバイスが予め設定された第１リソースにおいて当該第２専用情報を取得するように指示するために用いられ、当該プロセッサ１２は、さらに、当該送受信機１３で当該第１リソースにおいて当該第２専用情報を送信するように構成される。
【０１３０】
選択可能で、１つの実施例として、当該ランダムアクセスメッセージに当該指示情報が含まれ、当該指示情報は、当該デバイス１０が当該第２デバイスに当該第２専用情報を送信するように指示するために用いられ、当該プロセッサ１２は、さらに、当該送受信機１３で予め設定された第２リソースにおいて当該第２専用情報を送信するように構成される。
【０１３１】
選択可能で、１つの実施例として、当該ランダムアクセスメッセージに当該第１専用情報及び当該指示情報が含まれ、当該第１専用情報と当該第２専用情報とは、相違する情報を含む。
【０１３２】
選択可能で、１つの実施例として、当該第１専用情報又は当該第２専用情報は、当該デバイス１０の識別子情報、当該デバイス１０の接続確立要求の理由、当該デバイス１０が送信する第１シグナリングの大きさ及び／又はフォーマット、当該デバイス１０が登録する公衆移動通信網ネットワークＰＬＭＮの情報、当該デバイス１０のモビリティ管理エンティティＭＭＥの情報及び当該デバイス１０の非アクセス層ＮＡＳの情報のうちの少なくとも１つを含む。
【０１３３】
選択可能で、１つの実施例として、当該第１専用情報又は当該第２専用情報は、第１シグナリングの大きさ及び／又はフォーマットを含み、当該第１シグナリングは、当該第１デバイス１０と当該第２デバイスとの間の接続確立を要求するために用いられ、当該プロセッサ１２は、送受信機１３で当該第２デバイスにより送信されたアップリンクリソース割り当て情報を受信し、当該アップリンクリソース割り当て情報は、当該第１シグナリングの大きさ及び／又はフォーマットに基づいて確定されたものであり、さらに、当該アップリンクリソース割り当て情報に基づいて当該第２デバイスに当該第１シグナリングを送信するように構成される。
【０１３４】
選択可能で、当該デバイス１０が端末デバイスであり、当該第２デバイスがネットワークデバイス又は端末デバイスである。
【０１３５】
そして、本発明の実施例における情報伝送端末は、ランダムアクセスメッセージに第１デバイスの第１専用情報及び／又は第１デバイスの第２専用情報を指示するための指示情報を付けることで、アクセスプロセスを最適化し、第１デバイスがより高速又は柔軟に第２デバイスにアクセスするように、第１デバイスのアクセス制御機能を向上させることができる。
【０１３６】
なお、本発明の実施例におけるデバイス１０が本発明の実施例における情報伝送方法の第１デバイスに対応し、本発明の実施例におけるデバイス４００に対応し、さらに、デバイス１０の各モジュールの上記及び他の操作及び／又は機能が図３及び図４の各方法のプロセスを実現し、簡潔にするために、ここでは説明を省略する。
【０１３７】
図９は本発明の実施例におけるデバイス２０のブロック図を示す。図９に示すデバイス２０は、メモリー２１、プロセッサ２２、送受信機２３及びバスシステム２４を含む。ここで、メモリー２１、プロセッサ２２及び送受信機２３は、バスシステム２４により接続され、当該メモリー２１は命令を記憶し、当該プロセッサ２２は、当該メモリー２１に記憶された命令を実行して、送受信機２３が入力されたデータ及び情報を受信し、操作結果等のデータを出力する。
【０１３８】
プロセッサ２２は、当該送受信機２３で当該第１デバイスにより送信されたランダムアクセスメッセージを受信し、当該ランダムアクセスメッセージにデバイス１０の第１専用情報及び／又は当該デバイス１０の第２専用情報を指示するための指示情報が含まれ、当該第１専用情報と当該第２専用情報とは、当該デバイス１０と当該第２デバイスとの間の接続確立を要求するために用いられる。
【０１３９】
なお、本発明の実施例において、当該プロセッサ２２は、中央処理装置（ＣＰＵ：Ｃｅｎｔｒａｌ  Ｐｒｏｃｅｓｓｉｎｇ  Ｕｎｉｔ）、マイクロプロセッサ、応用専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、又は１つ以上の集積回路を利用して、関連のプログラムを実行し、本発明の実施例における技術案を実現する。
【０１４０】
当該メモリー２１は、読み取り専用メモリー及びランダムアクセスメモリーを含み、プロセッサ２２に命令及びデータを提供する。プロセッサ２２の一部は、不揮発性ランダムアクセスメモリーを含む。例えば、プロセッサ２２は、デバイスタイプの情報を記憶することができる。
【０１４１】
当該バスシステム２４はデータバス、電源バス、制御バス及び状態信号バス等を含む。明確にするために、図にバスシステム２４で各バスを示す。
【０１４２】
実際に、上記の方法の各ステップは、プロセッサ２２のハードウェアの集積ロジック回路又はソフトウェアの命令により実行することができる。本発明の実施例における無線通信の方法を参照し、ハードウェアであるプロセッサにより実行し、又は用プロセッサのハードウェアとソフトウェアとの組み合わせで実行する。ソフトウェアモジュールがランダムメモリー、フラッシュメモリ、読み取り専用メモリー、プログラマブル読み取り専用メモリー又は電気的に消去可能なプログラマブルメモリー、レジスター等の本分野に知られる記憶媒体に位置する。当該記憶媒体がメモリー２１に位置し、プロセッサ２２は、メモリー２１内の情報を読み、そのハードウェアにより上記の方法のステップを実行する。簡潔にするために、ここでは説明を省略する。
【０１４３】
選択可能で、１つの実施例として、当該ランダムアクセスメッセージに当該指示情報が含まれ、当該指示情報は、当該デバイス２０が予め設定された第１リソースにおいて当該第２専用情報を取得するように指示するために用いられ、当該プロセッサ２２は、さらに、当該指示情報に基づいて当該第１リソースにおいて当該第２専用情報を取得するように構成される。
【０１４４】
選択可能で、１つの実施例として、当該ランダムアクセスメッセージに当該指示情報が含まれ、当該指示情報は、当該第１デバイスが当該デバイス２０に当該第２専用情報を送信するように指示するために用いられ、当該プロセッサ２２は、さらに、予め設定された第２リソースにおいて当該第２専用情報を取得するように構成される。
【０１４５】
選択可能で、１つの実施例として、当該ランダムアクセスメッセージに当該第１専用情報が含まれ、当該プロセッサ２２は、さらに、当該ランダムアクセスメッセージから当該第１専用情報を取得するように構成される。
【０１４６】
選択可能で、１つの実施例として、当該ランダムアクセスメッセージに当該第１専用情報及び当該指示情報が含まれ、当該第１専用情報と当該第２専用情報とは、相違する情報を含む。
【０１４７】
選択可能で、１つの実施例として、当該第１専用情報又は当該第２専用情報は、当該第１デバイスの識別子情報、当該第１デバイスの接続確立要求の理由、当該第１デバイスが送信する第１シグナリングの大きさ及び／又はフォーマット、当該第１デバイスが登録する公衆移動通信網ネットワークＰＬＭＮの情報、当該第１デバイスのモビリティ管理エンティティＭＭＥの情報及び当該第１デバイスの非アクセス層ＮＡＳの情報のうちの少なくとも１つを含む。
【０１４８】
選択可能で、１つの実施例として、当該第１専用情報又は当該第２専用情報は、第１シグナリングの大きさ及び／又はフォーマットを含み、当該第１シグナリングは、当該第１デバイスと当該デバイス２０との間に接続の確立を要求するために用いられ、当該プロセッサ２２は、さらに、当該第１シグナリングの大きさ及びフォーマットに基づいて、当該第１デバイスのアップリンクリソース割り当て情報を確定し、当該送受信機２３で当該第１デバイスに当該アップリンクリソース割り当て情報を送信し、当該送受信機２３で当該第１デバイスが当該アップリンクリソース割り当て情報に基づいて送信した当該第１シグナリングを受信するように構成される。
【０１４９】
選択可能で、当該第１デバイスが端末デバイスであり、当該デバイス２０がネットワークデバイス又は端末デバイスである。
【０１５０】
そして、本発明の実施例における情報伝送デバイスは、第１デバイスの第１専用情報及び／又は当該第１デバイスの第２専用情報を指示するための指示情報が含まれるランダムアクセスメッセージを受信することで、アクセスプロセスを最適化し、ネットワークのアクセス制御機能を向上させ、第１デバイスがより高速又は柔軟に第２デバイスにアクセスすることができる。
【０１５１】
なお、本発明の実施例におけるデバイス２０が本発明の実施例における情報伝送方法３００の第２デバイスに対応し、本発明の実施例におけるデバイス５００に対応し、さらに、デバイス２０の各モジュールの上記及び他の操作及び／又は機能が図４及び図５の各方法のプロセスを実現し、簡潔にするために、ここでは説明を省略する。
【０１５２】
なお、本発明の実施例において、「Ａに対応するＢ」は、ＢがＡに関連し、ＡによってＢを確定することを示す。ただし、ＡによってＢを確定することは、ＡのみによってＢを確定することを意味せず、Ａ及び／又は他の情報によってＢを確定してもよい。
【０１５３】
また、本明細書に記載される「及び／又は」は、関連対象の関連関係を説明するものに過ぎず、以下の３つの関係を示す。例えば、Ａ及び／又はＢは、Ａが単独存在すること、ＡとＢが同時に存在すること、及びＢが単独存在することそれぞれ示す。また、本明細書に記載される「／」は、通常に、前後の関連対象の「又は」の関係を示す。
【０１５４】
なお、本発明の各実施例において、上記各過程の番号が実行順番の前後を意味せず、各過程の実行順番は、その機能及び組み込み論理に決定され、本発明の実施例の実行過程を限定しない。
【０１５５】
本願に開示されている実施例に説明されている各例示的なユニット及びアルゴリズムのステップを結合し、電子ハードウェア、又はコンピュータソフトウェアと電子ハードウェアの結合を用いて実現することができることを、当業者であれば理解できる。これらの機能がハードウェアの形式かあるいはソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０１５６】
当業者は、簡潔にするために、上記のシステム、装置及びユニットの動作過程が上記の方法の実施例の過程を参照することができることを理解すべきであり、ここで説明を省略する。
【０１５７】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを他のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０１５８】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０１５９】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０１６０】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【手続補正２】
【補正対象書類名】特許請求の範囲
【補正対象項目名】全文
【補正方法】変更
【補正の内容】
【特許請求の範囲】
【請求項１】
情報伝送方法であって、
第１デバイスが第２デバイスにランダムアクセスメッセージを送信することを含み、
前記ランダムアクセスメッセージには前記第１デバイスの第１専用情報及び／又は前記第１デバイスの第２専用情報を指示するための指示情報が含まれ、
前記第１専用情報は、前記第１デバイスと前記第２デバイスとの間の接続を確立するために用いられ、
前記第２専用情報は、前記第１デバイスと前記第２デバイスとの間の接続を確立するために用いられる
ことを特徴とする情報伝送方法。
【請求項２】
前記ランダムアクセスメッセージに前記指示情報が含まれ、
前記指示情報は、前記第２デバイスが予め設定された第１リソースにおいて前記第２専用情報を取得するように指示するために用いられ、
前記情報伝送方法は、さらに、
前記第１デバイスが前記第１リソースにおいて前記第２専用情報を送信することを含み、
又は、
前記ランダムアクセスメッセージに前記指示情報が含まれ、
前記指示情報は、前記第１デバイスが前記第２デバイスに前記第２専用情報を送信するように指示するために用いられ、
前記情報伝送方法は、さらに、
前記第１デバイスが予め設定された第２リソースにおいて前記第２専用情報を送信することを含む
ことを特徴とする請求項１に記載の情報伝送方法。
【請求項３】
前記ランダムアクセスメッセージに前記第１専用情報及び前記指示情報が含まれ、前記第１専用情報と前記第２専用情報とは、相違する情報を含む
ことを特徴とする請求項１又は２に記載の情報伝送方法。
【請求項４】
前記第１専用情報又は前記第２専用情報は、前記第１デバイスの識別子情報、接続確立の要因値、前記第１デバイスが送信する第１シグナリングの大きさ及び／又はフォーマット、前記第１デバイスが登録する公衆移動通信網ＰＬＭＮの情報、前記第１デバイスのモビリティ管理エンティティＭＭＥの情報及び前記第１デバイスの非アクセス層ＮＡＳの情報のうちの少なくとも１つを含む
ことを特徴とする請求項１乃至３のいずれか１項に記載の情報伝送方法。
【請求項５】
前記第１専用情報又は前記第２専用情報は、第１シグナリングの大きさ及び／又はフォーマットを含み、
前記第１シグナリングは、前記第１デバイスと前記第２デバイスとの間の接続確立を要求するために用いられ、
前記情報伝送方法は、さらに、
前記第２デバイスにより送信されたアップリンクリソース割り当て情報を受信することと、
前記アップリンクリソース割り当て情報に基づいて前記第２デバイスに前記第１シグナリングを送信することとを含み、
前記アップリンクリソース割り当て情報は、前記第１シグナリングの大きさ及び／又はフォーマットに基づいて確定されたものである
ことを特徴とする請求項１乃至４のいずれか１項に記載の情報伝送方法。
【請求項６】
前記第１デバイスが端末デバイスであり、前記第２デバイスがネットワークデバイス又は端末デバイスである
ことを特徴とする請求項１乃至５のいずれか１項に記載の情報伝送方法。
【請求項７】
情報伝送方法であって、
第２デバイスが第１デバイスにより送信されたランダムアクセスメッセージを受信することを含み、
前記ランダムアクセスメッセージには前記第１デバイスの第１専用情報及び／又は前記第１デバイスの第２専用情報を指示するための指示情報が含まれ、
前記第１専用情報は、前記第１デバイスと前記第２デバイスとの間の接続を確立するために用いられ、
前記第２専用情報は、前記第１デバイスと前記第２デバイスとの間の接続を確立するために用いられる
ことを特徴とする情報伝送方法。
【請求項８】
前記ランダムアクセスメッセージに前記指示情報が含まれ、
前記指示情報は、前記第２デバイスが予め設定された第１リソースにおいて前記第２専用情報を取得するように指示するために用いられ、
前記情報伝送方法は、さらに、
前記第２デバイスが前記指示情報に基づいて前記第１リソースにおいて前記第２専用情報を取得することを含み、
または、
前記ランダムアクセスメッセージに前記指示情報が含まれ、
前記指示情報は、前記第１デバイスが前記第２デバイスに前記第２専用情報を送信するように指示するために用いられ、
前記情報伝送方法は、さらに、
前記第２デバイスが予め設定された第２リソースにおいて前記第２専用情報を取得することを含む
ことを特徴とする請求項７に記載の情報伝送方法。
【請求項９】
前記ランダムアクセスメッセージに前記第１専用情報が含まれ、
前記情報伝送方法は、さらに、
前記第２デバイスが前記ランダムアクセスメッセージから前記第１専用情報を取得することを含む
ことを特徴とする請求項７又は８に記載の情報伝送方法。
【請求項１０】
前記ランダムアクセスメッセージに前記第１専用情報及び前記指示情報が含まれ、
前記第１専用情報と前記第２専用情報とは、相違する情報を含む
ことを特徴とする請求項７乃至９のいずれか１項に記載の情報伝送方法。
【請求項１１】
前記第１専用情報又は前記第２専用情報は、前記第１デバイスの識別子情報、接続確立の要因値、前記第１デバイスが送信する第１シグナリングの大きさ及び／又はフォーマット、前記第１デバイスが登録する公衆移動通信網ＰＬＭＮの情報、前記第１デバイスのモビリティ管理エンティティＭＭＥの情報及び前記第１デバイスの非アクセス層ＮＡＳの情報のうちの少なくとも１つを含む
ことを特徴とする請求項７乃至１０のいずれか１項に記載の情報伝送方法。
【請求項１２】
前記第１専用情報又は前記第２専用情報は、第１シグナリングの大きさ及び／又はフォーマットを含み、
前記第１シグナリングは、前記第１デバイスと前記第２デバイスとの間の接続確立を要求するために用いられ、
前記情報伝送方法は、さらに、
前記第１シグナリングの大きさ及び／又はフォーマットに基づいて前記第１デバイスのアップリンクリソース割り当て情報を確定することと、
前記第１デバイスに前記アップリンクリソース割り当て情報を送信することと、
前記第１デバイスが前記アップリンクリソース割り当て情報に基づいて送信した前記第１シグナリングを受信することとを含む
ことを特徴とする請求項７乃至１１のいずれか１項に記載の情報伝送方法。
【請求項１３】
前記第１デバイスが端末デバイスであり、前記第２デバイスがネットワークデバイス又は端末デバイスである
ことを特徴とする請求項７乃至１２のいずれか１項に記載の情報伝送方法。
【請求項１４】
情報伝送デバイスであって、
前記情報伝送デバイスは、第１デバイスであり、プロセッサ及び前記プロセッサにより実行可能な命令を記憶するメモリを含み、
前記プロセッサは、請求項１乃至６のいずれか１項に記載の情報伝送方法を実行するように構成される
ことを特徴とする情報伝送デバイス。
【請求項１５】
情報伝送デバイスであって、
前記情報伝送デバイスは、第２デバイスであり、プロセッサ及び前記プロセッサにより実行可能な命令を記憶するメモリを含み、
前記プロセッサは、請求項７乃至１３のいずれか１項に記載の情報伝送方法を実行するように構成される
ことを特徴とする情報伝送デバイス。
【国際調査報告】
2019527949.tif 000014
2019527949.tif 000015
2019527949.tif 000016
2019527949.tif 000017